(57)【要約】      （修正有）【課題】無線通信システムにおいてＵＥがＤ２Ｄ（Ｄｅｖｉｃｅ−ｔｏ−Ｄｅｖｉｃｅ）通信のための信号を送信する方法及び装置を提供する。【解決手段】ＵＥが、Ｄ２Ｄ通信のための同期識別子に基づいて取得される、Ｄ２Ｄ通信のための同期情報を伝える物理チャネルのための複数のビットを取得するステップと、ＵＥが他のＵＥに、複数のビットに基づく物理チャネル及び物理チャネルに関連するＤＭ−ＲＳ（ｄｅｍｏｄｕｌａｔｉｏｎ ｒｅｆｅｒｅｎｃｅ ｓｉｇｎａｌ）を送信するステップと、を含みむ。ＯＣＣ（Ｏｒｔｈｏｇｏｎａｌ Ｃｏｖｅｒ Ｃｏｄｅ）は、ＵＥによってＤＭ−ＲＳに適用され、ＯＣＣは、Ｄ２Ｄ通信のための同期識別子に基づいて決定され、ＤＭ−ＲＳのための巡回シフトは、第１の値を８で除算した剰余に基づいて決定され、第１の値は、２で割られた同期識別子の床関数である。【選択図】図１１
2020080537.tif 000002
【特許請求の範囲】
【請求項１】
無線通信システムにおいて端末がＤ２Ｄ（Ｄｅｖｉｃｅ−ｔｏ−Ｄｅｖｉｃｅ）通信のための信号を送信する方法であって、
Ｄ２Ｄ通信のための同期情報を含む物理チャネル、及び、前記物理チャネルの復調のための復調参照信号（Ｄｅｍｏｄｕｌａｔｉｏｎ  ｒｅｆｅｒｅｎｃｅ  ｓｉｇｎａｌ；ＤＭ−ＲＳ）を送信するステップを含み、
前記ＤＭ−ＲＳの基本シーケンスは、前記同期情報に含まれる同期参照識別子を用いて生成され、
前記ＤＭ−ＲＳのためのＯＣＣ（Ｏｒｔｈｏｇｏｎａｌ  Ｃｏｖｅｒ  Ｃｏｄｅ）は、前記同期参照識別子の下位ビットの一部を用いて決定される、方法。
【請求項２】
前記ＤＭ−ＲＳのための巡回シフトは、前記ＯＣＣのために用いられる前記下位ビット以外の、前記同期参照識別子の下位ビットの一部を用いて決定される、請求項１に記載の方法。
【請求項３】
無線通信システムにおいてＤ２Ｄ（Ｄｅｖｉｃｅ−ｔｏ−Ｄｅｖｉｃｅ）通信のための信号を送信する端末であって、
無線周波数ユニットと、
プロセッサと、を含み、
前記プロセッサは、Ｄ２Ｄ通信のための同期情報を含む物理チャネル、及び、前記物理チャネルの復調のための復調参照信号（Ｄｅｍｏｄｕｌａｔｉｏｎ  ｒｅｆｅｒｅｎｃｅ  ｓｉｇｎａｌ；ＤＭ−ＲＳ）を送信するように構成され、
前記ＤＭ−ＲＳの基本シーケンスは、前記同期情報に含まれる同期参照識別子を用いて生成され、
前記ＤＭ−ＲＳのためのＯＣＣ（Ｏｒｔｈｏｇｏｎａｌ  Ｃｏｖｅｒ  Ｃｏｄｅ）は、前記同期参照識別子の下位ビットの一部を用いて決定される、端末。
【請求項４】
前記ＤＭ−ＲＳのための巡回シフトは、前記ＯＣＣのために用いられる前記下位ビット以外の、前記同期参照識別子の下位ビットの一部を用いて決定される、請求項３に記載の端末。
【発明の詳細な説明】
【技術分野】
【０００１】
本発明は、無線通信システムに係り、より具体的には、無線通信システムにおけるＤ２Ｄ（ＤＥＶＩＣＥ−ＴＯ−ＤＥＶＩＣＥ）通信のための同期化信号送受信方法及びそのための装置に関する。
【背景技術】
【０００２】
本発明を適用できる無線通信システムの一例として、３ＧＰＰ ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ ７及びＲｅｌｅａｓｅ ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．４４、３、５、１０、１５、２０ＭＨｚなどの帯域幅のいずれか一つに設定され、複数の端末に下り又は上り送信サービスを提供する。異なったセルは、互いに異なった帯域幅を提供するように設定することができる。基地局は、複数の端末に関するデータ送受信を制御する。下りリンク（Ｄｏｗｎｌｉｎｋ；ＤＬ）データについて、基地局は、下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は、上りリンクスケジューリング情報を該当の端末に送信し、該当の端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡに基づいてＬＴＥまで開発されているが、ユーザと事業者の要求と期待は増す一方である。その上、他の無線接続技術の開発が続いており、将来、競合力を持つためには新しい技術進化が要求される。ビット当たりのコストの削減、サービス利用可能性の増大、柔軟な周波数バンドの使用、単純構造と開放型インターフェース、端末の適度な電力消費などが要求される。
【発明の概要】
【発明が解決しようとする課題】
【０００７】
本発明の目的は、無線通信システムにおいてＤ２Ｄ（ＤＥＶＩＣＥ−ＴＯ−ＤＥＶＩＣＥ）通信のための同期化信号送受信方法及びそのための装置を提供することにある。
【０００８】
本発明で達成しようとする技術的課題は、上記の技術的課題に制限されず、言及していない他の技術的課題は、以下の記載から、本発明の属する技術分野における通常の知識を有する者に明確に理解されるであろう。
【課題を解決するための手段】
【０００９】
上述した問題点を解決するための本発明の一態様である、無線通信システムにおいて端末がＤ２Ｄ（Ｄｅｖｉｃｅ−ｔｏ−Ｄｅｖｉｃｅ）通信のための信号を送信する方法は、前記Ｄ２Ｄ通信のための同期信号（Ｓｙｎｃｈｒｏｎｉｚａｔｉｏｎ  Ｓｉｇｎａｌ）及び前記同期信号の復調のための復調参照信号（Ｄｅｍｏｄｕｌａｔｉｏｎ  ｒｅｆｅｒｅｎｃｅ  ｓｉｇｎａｌ；ＤＭ−ＲＳ）を送信し、前記復調参照信号の基本シーケンス（ｂａｓｅ  ｓｅｑｕｅｎｃｅ）は、同期参照識別子（Ｓｙｎｃｈｒｏｎｉｚａｔｉｏｎ  ｒｅｆｅｒｅｎｃｅ  ＩＤ）を用いて生成されることを特徴とする。
【００１０】
さらに、前記基本シーケンスは、前記同期参照識別子を予め決定された値によって割った値に基づいて生成されることを特徴とする。
【００１１】
さらに、前記復調参照信号（ＤＭ−ＲＳ）のためのＯＣＣ（Ｏｒｔｈｏｇｏｎａｌ  Ｃｏｖｅｒ  Ｃｏｄｅ）は、前記同期参照識別子の下位１ビットを用いて決定されることを特徴とする。
【００１２】
さらに、前記復調参照信号（ＤＭ−ＲＳ）のための巡回シフト（ｃｙｃｌｉｃ  ｓｈｉｆｔ）は、前記同期参照識別子の下位３ビットを用いて決定されることを特徴とする。
【００１３】
さらに、上述した問題点を解決するための本発明の他の態様である、無線通信システムにおいてＤ２Ｄ（Ｄｅｖｉｃｅ−ｔｏ−Ｄｅｖｉｃｅ）通信のための信号を送信する端末は、無線周波数ユニット（Ｒａｄｉｏ  Ｆｒｅｑｕｅｎｃｙ  Ｕｎｉｔ）と、プロセッサ（Ｐｒｏｃｅｓｓｏｒ）とを含み、前記プロセッサは、前記Ｄ２Ｄ通信のための同期信号（Ｓｙｎｃｈｒｏｎｉｚａｔｉｏｎ  Ｓｉｇｎａｌ）及び前記同期信号の復調のための復調参照信号（Ｄｅｍｏｄｕｌａｔｉｏｎ  ｒｅｆｅｒｅｎｃｅ  ｓｉｇｎａｌ；ＤＭ−ＲＳ）を送信するように構成され、前記復調参照信号の基本シーケンス（ｂａｓｅ  ｓｅｑｕｅｎｃｅ）は、同期参照識別子（Ｓｙｎｃｈｒｏｎｉｚａｔｉｏｎ  ｒｅｆｅｒｅｎｃｅ  ＩＤ）を用いて生成される。
【発明の効果】
【００１４】
本発明によれば、無線通信システムにおいてＤ２Ｄ通信のための同期化信号の送受信を効率的に行うことができる。
【００１５】
本発明で得られる効果は、以上で言及した効果に制限されず、言及していない他の効果は、以下の記載から、本発明の属する技術分野における通常の知識を有する者に明確に理解されるであろう。
【図面の簡単な説明】
【００１６】
本発明に関する理解を助けるために詳細な説明の一部として含まれる添付の図面は、本発明に関する実施例を提供し、詳細な説明と共に本発明の技術的思想を説明する。
【図１】無線通信システムの一例としてＥ−ＵＭＴＳネットワーク構造を示す図である。
【図２】３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザプレーン（Ｕｓｅｒ  Ｐｌａｎｅ）の構造を示す図である。
【図３】３ＧＰＰ  ＬＴＥシステムに用いられる物理チャネル及びそれらを用いた一般的な信号送信方法を示す図である。
【図４】ＬＴＥシステムで用いられる無線フレームの構造を示す図である。
【図５】ＬＴＥシステムのＰ−ＢＣＨ（Ｐｒｉｍａｒｙ  ｂｒｏａｄｃａｓｔ  ｃｈａｎｎｅｌ）及びＳＣＨ（Ｓｙｎｃｈｒｏｎｉｚａｔｉｏｎ  ｃｈａｎｎｅｌ）を示す図である。
【図６】同期信号（ｓｙｎｃｈｒｏｎｉｚａｔｉｏｎ  ｓｉｇｎａｌ、ＳＳ）の送信のための無線フレーム構造を示す図である。
【図７】２次同期信号（ｓｅｃｏｎｄａｒｙ  ｓｙｎｃｈｒｏｎｉｚａｔｉｏｎ  ｓｉｇｎａｌ、ＳＳＳ）の生成方式を説明するための参考図である。
【図８】下りリンクスロットに対するリソースグリッド（ｒｅｓｏｕｒｃｅ  ｇｒｉｄ）を示す図である。
【図９】下りリンクサブフレームの構造を示す図である。
【図１０】ＬＴＥで用いられる上りリンクサブフレームの構造を示す図である。
【図１１】Ｄ２Ｄ通信を概念的に説明するための図である。
【図１２】Ｄ２ＤＳＳとＰＤ２ＤＳＣＨの基本送信タイミングを示すための参考図である。
【図１３】ＰＤ２ＤＳＣＨのメイン周期及びサブ周期を説明するための参考図である。
【図１４】本発明によって、ＲＶが存在するか否かによって変わるフレームナンバーを知らせる方法を説明するための参考図である。
【図１５】本発明によってサブ周期の一部においてＰＤ２ＤＳＣＨが省略される場合を説明するための参考図である。
【図１６】上述した本発明に係る制御情報ピギーバック（Ｃｏｎｔｒｏｌ  Ｉｎｆｏｒｍａｔｉｏｎ  ｐｉｇｇｙｂａｃｋｉｎｇ）を示す図である。
【図１７】ページングを用いたＰＤ２ＤＳＣＨ変更通知について説明するための参考図である。
【図１８】本発明が適用されるＤ２Ｄと関連する同期信号の基本構造を説明するための参考図である。
【図１９】本発明が適用されるＤ２Ｄと関連する同期信号の基本構造を説明するための参考図である。
【図２０】本発明によってＣＲＣマスク（ｍａｓｋ）をＰＤ２ＤＳＣＨフォーマット指示子として使用する場合を説明するための参考図である。
【図２１】一つのＤ２ＤＳＳ周期内に多数の同期リソースが隣接する場合を説明するための参考図である。
【図２２】本発明の実施例に適用可能な基地局及びユーザ機器を例示する図である。
【発明を実施するための形態】
【００１７】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって実現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって実現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術によって実現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ ＬＴＥの進化したバージョンである。
【００１８】
説明を明確にするために、３ＧＰＰ ＬＴＥ／ＬＴＥ−Ａを中心に記述するが、本発明の技術的思想がこれに制限されるわけではない。また、以下の説明で使われる特定の用語は、本発明の理解を助けるために提供されるものであり、このような特定の用語の使用は、本発明の技術的思想から逸脱しない範囲で他の形態に変更することもできる。
【００１９】
図２は、３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザプレーン（Ｕｓｅｒ  Ｐｌａｎｅ）の構造を示す図である。制御プレーンは、端末（Ｕｓｅｒ  Ｅｑｕｉｐｍｅｎｔ；ＵＥ）とネットワークが呼を管理するために用いる制御メッセージが送信される通路を意味する。ユーザプレーンは、アプリケーション層で生成されたデータ、例えば、音声データ又はインターネットパケットデータなどが送信される通路を意味する。
【００２０】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は上位にある媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。この伝送チャネルを介して媒体接続制御層と物理層間にデータが移動する。送信側の物理層と受信側の物理層間では、物理チャネルを介してデータが移動する。この物理チャネルは、時間と周波数を無線リソースとして用いる。具体的に、物理チャネルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクでＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２１】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼性あるデータ送信をサポートする。ＲＬＣ層の機能は、ＭＡＣ内部の機能ブロックとして実現することもできる。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを效率的に送信するために不要の制御情報を減らすヘッダー圧縮（Ｈｅａｄｅｒ  Ｃｏｍｐｒｅｓｓｉｏｎ）機能を果たす。
【００２２】
第３層の最下部に位置している無線リソース制御（Ｒａｄｉｏ  Ｒｅｓｏｕｒｃｅ  Ｃｏｎｔｒｏｌ；ＲＲＣ）層は、制御プレーンでのみ定義される。ＲＲＣ層は、無線ベアラー（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢは、端末とネットワーク間のデータ伝達のために第２層によって提供されるサービスを意味する。そのために、端末とネットワークのＲＲＣ層は互いにＲＲＣメッセージを交換する。端末とネットワークのＲＲＣ層間にＲＲＣ接続（ＲＲＣ  Ｃｏｎｎｅｃｔｅｄ）がある場合、端末はＲＲＣ接続状態（Ｃｏｎｎｅｃｔｅｄ  Ｍｏｄｅ）であり、そうでない場合、ＲＲＣ休止状態（Ｉｄｌｅ  Ｍｏｄｅ）である。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００２３】
基地局（ｅＮＢ）を構成する一つのセルは、１．４、３、５、１０、１５、２０ＭＨｚなどの帯域幅のいずれか一つに設定され、複数の端末に下り又は上り送信サービスを提供する。異なったセルは異なった帯域幅を提供するように設定することができる。
【００２４】
ネットワークから端末にデータを送信する下り伝送チャネルには、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信されてもよく、又は別の下りＭＣＨ（Ｍｕｌｔｉｃａｓｔ  Ｃｈａｎｎｅｌ）を介して送信されてもよい。一方、端末からネットワークにデータを送信する上り伝送チャネルには、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に位置しており、伝送チャネルにマップされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２５】
図３は、３ＧＰＰ ＬＴＥシステムに用いられる物理チャネル及びそれらを用いた一般的な信号送信方法を説明するための図である。
【００２６】
電源が切れた状態で電源がついたり、新しくセルに進入したりしたユーザ機器は、段階Ｓ３０１で、基地局と同期を取るなどの初期セル探索（Ｉｎｉｔｉａｌ  ｃｅｌｌ  ｓｅａｒｃｈ）作業を行う。そのために、ユーザ機器は基地局から１次同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及び２次同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を取り、セルＩＤなどの情報を取得する。その後、ユーザ機器は、基地局から物理放送チャネル（Ｐｈｙｓｉｃａｌ  Ｂｒｏａｄｃａｓｔ  Ｃｈａｎｎｅｌ）を受信してセル内放送情報を取得することができる。一方、ユーザ機器は、初期セル探索段階で下りリンク参照信号（Ｄｏｗｎｌｉｎｋ  Ｒｅｆｅｒｅｎｃｅ  Ｓｉｇｎａｌ、ＤＬ ＲＳ）を受信して下りリンクチャネル状態を確認することができる。
【００２７】
初期セル探索を終えたユーザ機器は、段階Ｓ３０２で、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、及び物理下りリンク制御チャネル情報に基づく物理下りリンク共有チャネル（Ｐｈｙｓｉｃａｌ  Ｄｏｗｎｌｉｎｋ  Ｃｏｎｔｒｏｌ  Ｃｈａｎｎｅｌ、ＰＤＳＣＨ）を受信し、より具体的なシステム情報を取得することができる。
【００２８】
その後、ユーザ機器は、基地局への接続を完了するために、段階Ｓ３０３乃至段階Ｓ３０６のようなランダムアクセス手順（Ｒａｎｄｏｍ  Ａｃｃｅｓｓ  Ｐｒｏｃｅｄｕｒｅ）を行うことができる。そのために、ユーザ機器は、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）を介してプリアンブル（ｐｒｅａｍｂｌｅ）を送信し（Ｓ３０３）、物理下りリンク制御チャネル及びこれに対応する物理下りリンク共有チャネルを介して、プリアンブルに対する応答メッセージを受信することができる（Ｓ３０４）。競合ベースランダムアクセスの場合、更なる物理ランダムアクセスチャネルの送信（Ｓ３０５）、及び物理下りリンク制御チャネル及びこれに対応する物理下りリンク共有チャネルの受信（Ｓ３０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００２９】
上述したような手順を行ったユーザ機器は、その後、一般的な上りリンク／下りリンク信号送信手順として、物理下りリンク制御チャネル／物理下りリンク共有チャネルの受信（Ｓ３０７）及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）の送信（Ｓ３０８）を行うことができる。ユーザ機器が基地局に送信する制御情報を総称して上りリンク制御情報（Ｕｐｌｉｎｋ  Ｃｏｎｔｒｏｌ  Ｉｎｆｏｒｍａｔｉｏｎ、ＵＣＩ）という。ＵＣＩは、ＨＡＲＱ ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。本明細書で、ＨＡＲＱ ＡＣＫ／ＮＡＣＫを単に、ＨＡＲＱ−ＡＣＫ或いはＡＣＫ／ＮＡＣＫ（Ａ／Ｎ）と呼ぶ。ＨＡＲＱ−ＡＣＫは、ポジティブＡＣＫ（単に、ＡＣＫ）、ネガティブＡＣＫ（ＮＡＣＫ）、ＤＴＸ及びＮＡＣＫ／ＤＴＸのうち少なくとも一つを含む。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。ＵＣＩは、一般にはＰＵＣＣＨを介して送信されるが、制御情報とトラフィックデータとが同時に送信されるべき場合にはＰＵＳＣＨを介して送信されてもよい。また、ネットワークの要求／指示に応じて、ＰＵＳＣＨを介してＵＣＩを非周期的に送信することもできる。
【００３０】
図４は、ＬＴＥシステムで用いられる無線フレームの構造を例示する図である。
【００３１】
図４を参照すると、セルラーＯＦＤＭ無線パケット通信システムにおいて、上りリンク／下りリンクデータパケット送信はサブフレーム（ｓｕｂｆｒａｍｅ）単位になされ、１サブフレームは、複数のＯＦＤＭシンボルを含む一定時間区間と定義される。３ＧＰＰ ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造、及びＴＤＤ（Ｔｉｍｅ  Ｄｉｖｉｓｉｏｎ  Ｄｕｐｌｅｘ）に適用可能なタイプ２の無線フレーム構造をサポートする。
【００３２】
図４の（ａ）は、タイプ１無線フレームの構造を例示する。下りリンク無線フレーム（ｒａｄｉｏ  ｆｒａｍｅ）は、１０個のサブフレーム（ｓｕｂｆｒａｍｅ）で構成され、１サブフレームは、時間領域（ｔｉｍｅ  ｄｏｍａｉｎ）で２個のスロット（ｓｌｏｔ）で構成される。１サブフレームを送信するためにかかる時間をＴＴＩ（ｔｒａｎｓｍｉｓｓｉｏｎ  ｔｉｍｅ  ｉｎｔｅｒｖａｌ）という。例えば、１サブフレームの長さを１ｍｓ、１スロットの長さを０．５ｍｓとすることができる。１スロットは時間領域で複数のＯＦＤＭシンボルを含み、周波数領域で複数のリソースブロック（Ｒｅｓｏｕｒｃｅ  Ｂｌｏｃｋ；ＲＢ）を含む。３ＧＰＰ ＬＴＥシステムでは下りリンクでＯＦＤＭＡが用いられるため、ＯＦＤＭシンボルが１シンボル区間を表す。ＯＦＤＭシンボルは、ＳＣ−ＦＤＭＡシンボル又はシンボル区間と呼ぶこともできる。リソース割り当て単位としてのリソースブロック（ＲＢ）は、１スロットで複数個の連続した副搬送波（ｓｕｂｃａｒｒｉｅｒ）を含むことができる。
【００３３】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって変更することができる。ＣＰには、拡張されたＣＰ（ｅｘｔｅｎｄｅｄ  ＣＰ）と標準ＣＰ（ｎｏｒｍａｌ  ＣＰ）がある。例えば、ＯＦＤＭシンボルが標準ＣＰによって構成された場合、１スロットに含まれるＯＦＤＭシンボルの数は７個であってよい。ＯＦＤＭシンボルが拡張されたＣＰによって構成された場合、１ ＯＦＤＭシンボルの長さが増加することから、１スロットに含まれるＯＦＤＭシンボルの数は、標準ＣＰの場合に比べて少ない。拡張されたＣＰの場合、例えば、１スロットに含まれるＯＦＤＭシンボルの数は６個であってもよい。ユーザ機器が速い速度で移動するなどしてチャネル状態が不安定な場合、シンボル間干渉をより減らすために、拡張されたＣＰを用いることができる。
【００３４】
標準ＣＰが用いられる場合、１スロットは７ ＯＦＤＭシンボルを含むため、１サブフレームは１４ ＯＦＤＭシンボルを含む。このとき、各サブフレームの先頭における最大３個のＯＦＤＭシンボルは、ＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００３５】
図４の（ｂ）は、タイプ２無線フレームの構造を例示する。タイプ２無線フレームは、２個のハーフフレーム（ｈａｌｆ  ｆｒａｍｅ）で構成され、各ハーフフレームは、２個のスロットを含む４個の一般サブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ、ＧＰ）及びＵｐＰＴＳ（Ｕｐｌｉｎｋ  Ｐｉｌｏｔ  Ｔｉｍｅ  Ｓｌｏｔ）を含む特別サブフレーム（ｓｐｅｃｉａｌ  ｓｕｂｆｒａｍｅ）とで構成される。
【００３６】
上記の特別サブフレームにおいて、ＤｗＰＴＳは、ユーザ機器における初期セル探索、同期化又はチャネル推定に用いられる。ＵｐＰＴＳは、基地局におけるチャネル推定とユーザ機器の上りリンク送信同期の獲得に用いられる。すなわち、ＤｗＰＴＳは下りリンク送信に、ＵｐＰＴＳは上りリンク送信に用いられ、特に、ＵｐＰＴＳはＰＲＡＣＨプリアンブルやＳＲＳ送信のために用いられる。また、保護区間は、上りリンクと下りリンクの間に下りリンク信号の多重経路遅延によって上りリンクで生じる干渉を除去するための区間である。
【００３７】
上記の特別サブフレームに関して現在３ＧＰＰ標準文書では下記の表１のように設定を定義している。表１で、
【数１】
2020080537.tif 000003
の場合に、ＤｗＰＴＳとＵｐＰＴＳを示しており、残りの領域が保護区間として設定される。
【００３８】
【表１】
2020080537.tif 000004
【００３９】
一方、タイプ２無線フレームの構造、すなわち、ＴＤＤシステムにおける上りリンク／下りリンクサブフレーム設定（ＵＬ／ＤＬ  ｃｏｎｆｉｇｕｒａｔｉｏｎ）は、下記の表２のとおりである。
【００４０】
【表２】
2020080537.tif 000005
【００４１】
上記の表２で、Ｄは下りリンクサブフレーム、Ｕは上りリンクサブフレームを表し、Ｓは特別サブフレームを意味する。また、上記の表２では、それぞれの上りリンク／下りリンクサブフレーム設定における下りリンク−上りリンクスイッチング周期も表している。
【００４２】
上述した無線フレームの構造は例示に過ぎず、無線フレームに含まれるサブフレームの数、サブフレームに含まれるスロットの数、又はスロットに含まれるシンボルの数は様々に変更されてもよい。
【００４３】
図５は、ＬＴＥシステムのＰ−ＢＣＨ（Ｐｒｉｍａｒｙ  ｂｒｏａｄｃａｓｔ  ｃｈａｎｎｅｌ）及びＳＣＨ（Ｓｙｎｃｈｒｏｎｉｚａｔｉｏｎ  ｃｈａｎｎｅｌ）を例示する。ＳＣＨはＰ−ＳＣＨ及びＳ−ＳＣＨを含む。Ｐ−ＳＣＨ上でＰＳＳ（Ｐｒｉｍａｒｙ  Ｓｙｎｃｈｒｏｎｉｚａｔｉｏｎ  Ｓｉｇｎａｌ）が送信され、Ｓ−ＳＣＨ上でＳＳＳ（Ｓｅｃｏｎｄａｒｙ  Ｓｙｎｃｈｒｏｎｉｚａｔｉｏｎ  Ｓｉｇｎａｌ）が送信される。
【００４４】
図５を参照すると、フレーム構造タイプ−１（すなわち、ＦＤＤ）においてＰ−ＳＣＨは、各無線フレームでスロット＃０（すなわち、サブフレーム＃０の１番目のスロット）とスロット＃１０（すなわち、サブフレーム＃５の１番目のスロット）の最後のＯＦＤＭシンボルに位置する。Ｓ−ＳＣＨは、各無線フレームでスロット＃０とスロット＃１０の最後のＯＦＤＭシンボルの直前のＯＦＤＭシンボルに位置する。Ｓ−ＳＣＨとＰ−ＳＣＨは、隣接するＯＦＤＭシンボルに位置する。フレーム構造タイプ−２（すなわち、ＴＤＤ）においてＰ−ＳＣＨは、サブフレーム＃１／＃６の３番目のＯＦＤＭシンボルを介して送信され、Ｓ−ＳＣＨは、スロット＃１（すなわち、サブフレーム＃０の２番目のスロット）とスロット＃１１（すなわち、サブフレーム＃５の２番目のスロット）の最後のＯＦＤＭシンボルに位置する。Ｐ−ＢＣＨは、フレーム構造タイプに関係なく、４個の無線フレーム毎に送信され、サブフレーム＃０の２番目のスロットの１番目〜４番目のＯＦＤＭシンボルを用いて送信される。
【００４５】
Ｐ−ＳＣＨは、当該ＯＦＤＭシンボル内でＤＣ（ｄｉｒｅｃｔ  ｃｕｒｒｅｎｔ）副搬送波を中心に７２個の副搬送波（１０個の副搬送波は予備、６２個の副搬送波にＰＳＳ送信）を使用して送信される。Ｓ−ＳＣＨは、当該ＯＦＤＭシンボル内でＤＣ（ｄｉｒｅｃｔ  ｃｕｒｒｅｎｔ）副搬送波を中心に７２個の副搬送波（１０個の副搬送波は予備、６２個の副搬送波にＳＳＳ送信）を使用して送信される。Ｐ−ＢＣＨは、１サブフレーム内で４個のＯＦＤＭシンボルとＤＣ（ｄｉｒｅｃｔ  ｃｕｒｒｅｎｔ）副搬送波を中心に７２個の副搬送波にマッピングされる。
【００４６】
図６は、同期信号（ｓｙｎｃｈｒｏｎｉｚａｔｉｏｎ  ｓｉｇｎａｌ、ＳＳ）の送信のための無線フレーム構造を例示したものである。特に、図６は、周波数分割デュプレックス（ｆｒｅｑｕｅｎｃｙ  ｄｉｖｉｓｉｏｎ  ｄｕｐｌｅｘ、ＦＤＤ）において同期信号及びＰＢＣＨの送信のための無線フレーム構造を例示したもので、図６（ａ）は、標準ＣＰ（ｎｏｒｍａｌ  ｃｙｃｌｉｃ  ｐｒｅｆｉｘ）として構成された無線フレームでＳＳ及びＰＢＣＨの送信位置を示したものであり、図６（ｂ）は、拡張ＣＰ（ｅｘｔｅｎｄｅｄ  ＣＰ）として構成された無線フレームでＳＳ及びＰＢＣＨの送信位置を示したものである。
【００４７】
ＵＥは、電源が入ったり、新しくセルに進入した場合、前記セルとの時間及び周波数同期を取得し、前記セルの物理セル識別子（ｐｈｙｓｉｃａｌ  ｃｅｌｌ  ｉｄｅｎｔｉｔｙ）を検出（ｄｅｔｅｃｔ）するなどのセル探索（ｉｎｉｔｉａｌ  ｃｅｌｌ  ｓｅａｒｃｈ）手順（ｐｒｏｃｅｄｕｒｅ）を行う。そのために、ＵＥは、ｅＮＢから同期信号、例えば、１次同期信号（Ｐｒｉｍａｒｙ  Ｓｙｎｃｈｒｏｎｉｚａｔｉｏｎ  Ｓｉｇｎａｌ、ＰＳＳ）及び２次同期信号（Ｓｅｃｏｎｄａｒｙ  Ｓｙｎｃｈｒｏｎｉｚａｔｉｏｎ  Ｓｉｇｎａｌ、ＳＳＳ）を受信してｅＮＢと同期を取り、セル識別子（ｉｄｅｎｔｉｔｙ、ＩＤ）などの情報を取得することができる。
【００４８】
図６を参照して、ＳＳをより具体的に説明すると、次の通りである。ＳＳは、ＰＳＳとＳＳＳとに区分される。ＰＳＳは、ＯＦＤＭシンボル同期、スロット同期などの時間ドメイン同期及び／又は周波数ドメイン同期を得るために使用され、ＳＳＳは、フレーム同期、セルグループＩＤ及び／又はセルのＣＰ構成（すなわち、標準ＣＰ又は拡張ＣＰの使用情報）を得るために使用される。図６を参照すると、ＰＳＳとＳＳＳは、無線フレーム毎に２個のＯＦＤＭシンボルでそれぞれ送信される。具体的に、ＳＳは、インター−ＲＡＴ（ｉｎｔｅｒ  ｒａｄｉｏ  ａｃｃｅｓｓ  ｔｅｃｈｎｏｌｏｇｙ）測定の容易さのために、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）フレーム長である４．６ｍｓを考慮して、サブフレーム０の１番目のスロットとサブフレーム５の１番目のスロットでそれぞれ送信される。特に、ＰＳＳは、サブフレーム０の１番目のスロットの最後のＯＦＤＭシンボル及びサブフレーム５の１番目のスロットの最後のＯＦＤＭシンボルでそれぞれ送信され、ＳＳＳは、サブフレーム０の１番目のスロットの最後から２番目のＯＦＤＭシンボル及びサブフレーム５の１番目のスロットの最後から２番目のＯＦＤＭシンボルでそれぞれ送信される。当該無線フレームの境界はＳＳＳを介して検出することができる。ＰＳＳは、当該スロットの最後のＯＦＤＭシンボルで送信され、ＳＳＳは、ＰＳＳの直前のＯＦＤＭシンボルで送信される。ＳＳの送信ダイバーシティ（ｄｉｖｅｒｓｉｔｙ）方式は、単一アンテナポート（ｓｉｎｇｌｅ  ａｎｔｅｎｎａ  ｐｏｒｔ）のみを使用し、標準では別に定義していない。すなわち、単一アンテナポート送信或いはＵＥに透過的な（ｔｒａｎｓｐａｒｅｎｔ）送信方式（例えば、ＰＶＳ（Ｐｒｅｃｏｄｉｎｇ  Ｖｅｃｔｏｒ  Ｓｗｉｔｃｈｉｎｇ）、ＴＳＴＤ（Ｔｉｍｅ  Ｓｗｉｔｃｈｅｄ  Ｄｉｖｅｒｓｉｔｙ）、ＣＤＤ（ｃｙｃｌｉｃ  ｄｅｌａｙ  ｄｉｖｅｒｓｉｔｙ））をＳＳの送信ダイバーシティのために使用することができる。
【００４９】
ＳＳは、３個のＰＳＳと１６８個のＳＳの組み合わせによって計５０４個の固有の物理層セル識別子（ｐｈｙｓｉｃａｌ  ｌａｙｅｒ  ｃｅｌｌ  ＩＤ）を示すことができる。換言すれば、前記物理層セルＩＤは、各物理層セルＩＤがただ一つの物理層セル識別子グループの部分になるように、各グループが３個の固有の識別子を含む１６８個の物理層セル識別子グループにグループ化される。したがって、物理層セル識別子ＮcellID＝３Ｎ(1)ID＋Ｎ(2)IDは、物理層セル識別子グループを示す０から１６７までの範囲内の番号Ｎ(1)ID、及び前記物理層セル識別子グループ内の前記物理層識別子を示す０から２までの番号Ｎ(2)IDによって固有に定義される。ＵＥは、ＰＳＳを検出して、３個の固有の物理層識別子のうち１つを知ることができ、ＳＳＳを検出して、前記物理層識別子に関連する１６８個の物理層セルＩＤのうち１つを識別することができる。長さ６３のＺＣ（Ｚａｄｏｆｆ−Ｃｈｕ）シーケンスが周波数ドメインで定義されて、ＰＳＳとして使用される。例えば、ＺＣシーケンスは、次の数式１によって定義することができる。
【００５０】
【数２】
2020080537.tif 000006
【００５１】
ここで、ＮZC＝６３であり、ＤＣ副搬送波に該当するシーケンス要素（ｓｅｑｕｅｎｃｅ  ｅｌｅｍｅｎｔ）であるｎ＝３１は、パンクチャリング（ｐｕｎｃｔｕｒｉｎｇ）される。
【００５２】
ＰＳＳは、中心周波数に近い６個のＲＢ（＝７２個の副搬送波）にマッピングされる。前記７２個の副搬送波のうち残る９個の副搬送波は、常に０の値を搬送し、これは、同期実行のためのフィルター設計を容易にする要素として作用する。計３個のＰＳＳが定義されるために、数式１でｕ＝２４、２９及び３４が使用される。ｕ＝２４及びｕ＝３４は共役対称（ｃｏｎｊｕｇａｔｅ  ｓｙｍｍｅｔｒｙ）関係を有しているため、２個の相関（ｃｏｒｒｅｌａｔｉｏｎ）が同時に行われてもよい。ここで、共役対称は、次の数式２の関係を意味する。
【００５３】
【数３】
2020080537.tif 000007
【００５４】
共役対称の特性を用いる場合、ｕ＝２９及びｕ＝３４に対するワンショット相関器（ｏｎｅ−ｓｈｏｔ  ｃｏｒｒｅｌａｔｏｒ）を実現することができ、共役対称のない場合に比べて、全体的な演算量を約３３．３％減少させることができる。
【００５５】
より具体的には、ＰＳＳのために使用されるシーケンスｄ（ｎ）は、周波数ドメインＺＣシーケンスから次の数式３によって生成される。
【００５６】
【数４】
2020080537.tif 000008
【００５７】
ここで、ＺＣルートシーケンスインデックスｕは、次の表によって与えられる。
【００５８】
【表３】
2020080537.tif 000009
【００５９】
図６を参照すると、ＰＳＳは、５ｍｓ毎に送信されるため、ＵＥは、ＰＳＳを検出することによって、当該サブフレームがサブフレーム０及びサブフレーム５のうち１つであることを知ることができるが、具体的に当該サブフレームがサブフレーム０又はサブフレーム５のいずれであるかは知ることができない。したがって、ＵＥは、ＰＳＳだけでは無線フレームの境界を認知することができない。すなわち、ＰＳＳだけではフレーム同期を取得することができない。ＵＥは、１無線フレーム内で２回送信され、互いに異なるシーケンスで送信されるＳＳＳを検出して、無線フレームの境界を検出する。
【００６０】
図７は、２次同期信号（ｓｅｃｏｎｄａｒｙ  ｓｙｎｃｈｒｏｎｉｚａｔｉｏｎ  ｓｉｇｎａｌ、ＳＳＳ）の生成方式を説明するために示されたものである。具体的には、図７は、論理ドメイン（ｌｏｇｉｃａｌ  ｄｏｍａｉｎ）での２つのシーケンスが物理ドメインにマッピングされる関係を示したものである。
【００６１】
ＳＳＳのために使用されるシーケンスは、２個の長さ３１のｍ−シーケンスのインターリービングされた連結（ｉｎｔｅｒｌｅａｖｅｄ  ｃｏｎｃａｔｅｎａｔｉｏｎ）であって、前記連結されたシーケンスは、ＰＳＳによって与えられるスクランブリングシーケンスによってスクランブルされる。ここで、ｍ−シーケンスは、ＰＮ（Ｐｓｅｕｄｏ  Ｎｏｉｓｅ）シーケンスの一種である。
【００６２】
図７を参照すると、ＳＳＳ符号の生成のために使用される２個のｍ−シーケンスをそれぞれＳ１、Ｓ２とするとき、Ｓ１とＳ２は、ＰＳＳベースの互いに異なる２個のシーケンスがＳＳＳにスクランブルされる。このとき、Ｓ１とＳ２は、互いに異なるシーケンスによってスクランブルされる。ＰＳＳベースのスクランブリング符号は、ｘ5＋ｘ3＋１の多項式から生成されたｍ−シーケンスを巡回シフトして得ることができ、ＰＳＳインデックスによって６個のシーケンスが前記ｍ−シーケンスの巡回シフトによって生成される。その後、Ｓ２は、Ｓ１ベースのスクランブリング符号によってスクランブルされる。Ｓ１ベースのスクランブリング符号は、ｘ5＋ｘ4＋ｘ2＋ｘ1＋１の多項式から生成されたｍ−シーケンスを巡回シフトして得ることができ、Ｓ１のインデックスによって８個のシーケンスが前記ｍ−シーケンスの巡回シフトによって生成される。ＳＳＳの符号は５ｍｓ毎に交換（ｓｗａｐ）されるが、ＰＳＳベースのスクランブリング符号は交換されない。例えば、サブフレーム０のＳＳＳが（Ｓ１，Ｓ２）の組み合わせでセルグループ識別子を搬送すると仮定すると、サブフレーム５のＳＳＳは（Ｓ２，Ｓ１）として交換（ｓｗａｐ）されたシーケンスを搬送する。これによって、１０ｍｓの無線フレーム境界を区分することができる。このとき、使用されるＳＳＳ符号はｘ5＋ｘ2＋１の多項式から生成され、長さ３１のｍ−シーケンスの互いに異なる巡回シフト（ｃｉｒｃｕｌａｒ  ｓｈｉｆｔ）を通じて計３１個の符号が生成され得る。
【００６３】
ＳＳＳを定義する２個の長さ３１のｍ−シーケンスの組み合わせ（ｃｏｍｂｉｎａｔｉｏｎ）は、サブフレーム０とサブフレーム５において異なり、２個の長さ３１のｍ−シーケンスの組み合わせによって計１６８個のセルグループ識別子（ｃｅｌｌ  ｇｒｏｕｐ  ＩＤ）が表現される。ＳＳＳのシーケンスとして使用されるｍ−シーケンスは、周波数選択的環境でロバストであるという特性がある。また、高速アダマール変換（ｆａｓｔ  Ｈａｄａｒｍａｒｄ  ｔｒａｎｓｆｏｒｍ）を用いた高速ｍ−シーケンス変換によって変換され得るため、ｍ−シーケンスがＳＳＳとして活用されると、ＵＥがＳＳＳを解釈するのに必要な演算量を低減することができる。また、２個の短い符号（ｓｈｏｒｔ  ｃｏｄｅ）でＳＳＳが構成されることによって、ＵＥの演算量を減少させることができる。
【００６４】
より具体的にＳＳＳの生成に関して説明すると、ＳＳＳのために使用されるシーケンスｄ（０），...，ｄ（６１）は、２個の長さ−３１の二進（ｂｉｎａｒｙ）シーケンスのインターリーブされた連結である。前記連結されたシーケンスは、ＰＳＳによって与えられるスクランブリングシーケンスでスクランブルされる。
【００６５】
ＰＳＳを定義する２個の長さ−３１のシーケンスの組み合わせは、サブフレーム０とサブフレーム５において、次の式のように異なる。
【００６６】
【数５】
2020080537.tif 000010
【００６７】
ここで、０≦ｎ≦３０である。インデックスｍ0及びｍ1は、物理層セル識別子グループＮ(1)IDから、次の数式５によって導き出される。
【００６８】
【数６】
2020080537.tif 000011
【００６９】
数式５の出力（ｏｕｔｐｕｔ）は、数式１１に後続する表４にリストされる。
【００７０】
２個のシーケンスＳ(m0)0（ｎ）及びＳ(m1)1（ｎ）は、次の数式６によって、ｍ−シーケンスｓ（ｎ）の２個の異なる巡回シフトとして定義される。
【００７１】
【数７】
2020080537.tif 000012
【００７２】
ここで、ｓ（ｉ）＝１−２ｘ（ｉ）（０≦ｉ≦３０）は、初期条件（ｉｎｉｔｉａｌ  ｃｏｎｄｉｔｉｏｎｓ）ｘ（０）＝０、ｘ（１）＝０、ｘ（２）、ｘ（３）＝０、ｘ（４）＝１で次の数式７によって定義される。
【００７３】
【数８】
2020080537.tif 000013
【００７４】
２個のスクランブリングシーケンスｃ0（ｎ）及びｃ1（ｎ）は、ＰＳＳに依存し、ｍ−シーケンスｃ（ｎ）の２個の異なる巡回シフトによって、次の数式８によって定義される。
【００７５】
【数９】
2020080537.tif 000014
【００７６】
ここで、Ｎ(2)ID∈｛０，１，２｝は、物理層セル識別子グループＮ(1)ID内の物理層識別子であり、ｃ（ｉ）＝１−２ｘ（ｉ）（０≦ｉ≦３０）は、初期条件（ｉｎｉｔｉａｌ  ｃｏｎｄｉｔｉｏｎｓ）ｘ（０）＝０、ｘ（１）＝０、ｘ（２）、ｘ（３）＝０、ｘ（４）＝１で次の数式９によって定義される。
【００７７】
【数１０】
2020080537.tif 000015
【００７８】
スクランブリングシーケンスＺ(m0)1（ｎ）及びＺ(m1)1（ｎ）は、次の数式１０に従って、ｍ−シーケンスｚ（ｎ）の巡回シフトによって定義される。
【００７９】
【数１１】
2020080537.tif 000016
【００８０】
ここで、ｍ0及びｍ1は、数式１１に後続して記載された表４から得られ、ｚ（ｉ）＝１−２ｘ（ｉ）（０≦ｉ≦３０）は、初期条件（ｉｎｉｔｉａｌ  ｃｏｎｄｉｔｉｏｎｓ）ｘ（０）＝０、ｘ（１）＝０、ｘ（２）、ｘ（３）＝０、ｘ（４）＝１で次の数式１１によって定義される。
【００８１】
【数１２】
2020080537.tif 000017
【００８２】
【表４】
2020080537.tif 000018
【００８３】
ＳＳＳを用いたセル（ｃｅｌｌ）探索過程を行ってＤＬ信号の復調（ｄｅｍｏｄｕｌａｔｉｏｎ）及びＵＬ信号の送信を正確な時点で行うのに必要な時間及び周波数パラメータを決定したＵＥはまた、前記ｅＮＢと通信するためには、前記ｅＮＢから前記ＵＥのシステム構成に必要なシステム情報を取得しなければならない。
【００８４】
システム情報は、マスタ情報ブロック（Ｍａｓｔｅｒ  Ｉｎｆｏｒｍａｔｉｏｎ  Ｂｌｏｃｋ；ＭＩＢ）及びシステム情報ブロック（Ｓｙｓｔｅｍ  Ｉｎｆｏｒｍａｔｉｏｎ  Ｂｌｏｃｋｓ；ＳＩＢｓ）によって構成される。各システム情報ブロックは、機能的に関連付けられたパラメータの集合を含み、含まれるパラメータによって、マスタ情報ブロック（Ｍａｓｔｅｒ  Ｉｎｆｏｒｍａｔｉｏｎ  Ｂｌｏｃｋ；ＭＩＢ）及びシステム情報ブロックタイプ１（Ｓｙｓｔｅｍ  Ｉｎｆｏｒｍａｔｉｏｎ  Ｂｌｏｃｋ  Ｔｙｐｅ  １；ＳＩＢ１）、システム情報ブロックタイプ２（Ｓｙｓｔｅｍ  Ｉｎｆｏｒｍａｔｉｏｎ  Ｂｌｏｃｋ  Ｔｙｐｅ  ２；ＳＩＢ２）、ＳＩＢ３〜ＳＩＢ８に区分される。ＭＩＢは、ＵＥがｅＮＢのネットワーク（ｎｅｔｗｏｒｋ）に初期接続（ｉｎｉｔｉａｌ  ａｃｃｅｓｓ）するときに必ず必要とする、最も頻繁に送信されるパラメータを含む。ＳＩＢ１は、他のＳＩＢの時間ドメインスケジューリングに関する情報だけでなく、特定のセルがセル選択に適したセルであるか否かを判断するのに必要なパラメータを含む。
【００８５】
ＵＥは、ＭＩＢをブロードキャストチャネル（例えば、ＰＢＣＨ）を介して受信することができる。ＭＩＢには、下りリンクシステム帯域幅（ｄｌ−Ｂａｎｄｗｉｄｔｈ；ＤＬ  ＢＷ）、ＰＨＩＣＨ構成（ｃｏｎｆｉｇｕｒａｔｉｏｎ）、システムフレームナンバー（ＳＦＮ）が含まれる。したがって、ＵＥは、ＰＢＣＨを受信することによって、明示的（ｅｘｐｌｉｃｉｔ）にＤＬ  ＢＷ、ＳＦＮ、ＰＨＩＣＨ構成に関する情報を知ることができる。一方、ＰＢＣＨの受信を介してＵＥが暗黙的（ｉｍｐｌｉｃｉｔ）に知ることができる情報としては、ｅＮＢの送信アンテナポートの個数がある。ｅＮＢの送信アンテナの個数に関する情報は、ＰＢＣＨの誤り検出に使用される１６ビットＣＲＣ（Ｃｙｃｌｉｃ  Ｒｅｄｕｎｄａｎｃｙ  Ｃｈｅｃｋ）に送信アンテナの個数に対応するシーケンスをマスク（例えば、ＸＯＲ演算）して暗黙的にシグナリングされる。
【００８６】
ＰＢＣＨは、４０ｍｓの間に４個のサブフレームにマッピングされる。４０ｍｓの時間はブラインド検出されるものであって、４０ｍｓの時間に対する明示的なシグナリングが別途に存在しない。時間ドメインで、ＰＢＣＨは、無線フレーム内のサブフレーム０内のスロット１（サブフレーム０の２番目のスロット）のＯＦＤＭシンボル０〜３で送信される。
【００８７】
周波数ドメインで、ＰＳＳ／ＳＳＳ及びＰＢＣＨは、実際のシステム帯域幅と関係なく、当該ＯＦＤＭシンボル内でＤＣ副搬送波を中心に左右３個ずつ計６個のＲＢ、すなわち、計７２個の副搬送波内でのみ送信される。したがって、ＵＥは、前記ＵＥに構成された下りリンク送信帯域幅と関係なく、ＳＳ及びＰＢＣＨを検出又は復号できるように構成される。
【００８８】
初期セル探索を終えてｅＮＢのネットワークに接続したＵＥは、ＰＤＣＣＨ及び前記ＰＤＣＣＨに含まれた情報によってＰＤＳＣＨを受信することによって、より具体的なシステム情報を取得することができる。上述したような手順を行ったＵＥは、以降、一般的な上り／下りリンク信号送信手順として、ＰＤＣＣＨ／ＰＤＳＣＨ受信及びＰＵＳＣＨ／ＰＵＣＣＨ送信を行うことができる。
【００８９】
図８は、下りリンクスロットに対するリソースグリッド（ｒｅｓｏｕｒｃｅ  ｇｒｉｄ）を例示する。
【００９０】
【数１３】
2020080537.tif 000019
【００９１】
【数１４】
2020080537.tif 000020
【００９２】
図９は、下りリンクサブフレームの構造を例示する。
【００９３】
図９を参照すると、サブフレームの第１スロットにおいて先頭に位置した最大３（４）個のＯＦＤＭシンボルは、制御チャネルが割り当てられる制御領域に対応する。残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域に該当する。ＬＴＥで使用される下りリンク制御チャネルの例は、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨは、サブフレームの最初のＯＦＤＭシンボルで送信され、サブフレーム内で制御チャネルの送信に使用されるＯＦＤＭシンボルの個数に関する情報を搬送する。ＰＨＩＣＨは、上りリンク送信に対する応答としてＨＡＲＱ  ＡＣＫ／ＮＡＣＫ（Ｈｙｂｒｉｄ  Ａｕｔｏｍａｔｉｃ  Ｒｅｐｅａｔ  ｒｅｑｕｅｓｔａｃｋｎｏｗｌｅｄｇｍｅｎｔ／ｎｅｇａｔｉｖｅ−ａｃｋｎｏｗｌｅｄｇｍｅｎｔ）信号を搬送する。
【００９４】
ＰＤＣＣＨを介して送信される制御情報をＤＣＩ（Ｄｏｗｎｌｉｎｋ  Ｃｏｎｔｒｏｌ  Ｉｎｆｏｒｍａｔｉｏｎ）と呼ぶ。ＤＣＩは、ユーザ機器又はユーザ機器グループのためのリソース割り当て情報及び他の制御情報を含む。例えば、ＤＣＩは、上りリンク／下りリンクスケジューリング情報、上りリンク送信（Ｔｘ）電力制御命令などを含む。
【００９５】
ＰＤＣＣＨは、下りリンク共有チャネル（ｄｏｗｎｌｉｎｋ  ｓｈａｒｅｄ  ｃｈａｎｎｅｌ、ＤＬ−ＳＣＨ）の送信フォーマット及びリソース割り当て情報、上りリンク共有チャネル（ｕｐｌｉｎｋ  ｓｈａｒｅｄ  ｃｈａｎｎｅｌ、ＵＬ−ＳＣＨ）の送信フォーマット及びリソース割り当て情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で送信されるランダムアクセス応答のような上位層制御メッセージのリソース割り当て情報、ユーザ機器グループ内の個別ユーザ機器に対する送信電力制御命令セット、送信電力制御命令、ＶｏＩＰ（Ｖｏｉｃｅ  ｏｖｅｒ  ＩＰ）の活性化指示情報などを搬送する。複数のＰＤＣＣＨが制御領域内で送信され得る。ユーザ機器は、複数のＰＤＣＣＨをモニタすることができる。ＰＤＣＣＨは、１つ又は複数の連続した制御チャネル要素（ｃｏｎｔｒｏｌ  ｃｈａｎｎｅｌ  ｅｌｅｍｅｎｔ、ＣＣＥ）の集合（ａｇｇｒｅｇａｔｉｏｎ）上で送信される。ＣＣＥは、ＰＤＣＣＨに無線チャネル状態に基づいたコーディングレートを提供するのに用いられる論理的割り当てユニットである。ＣＣＥは、複数のリソース要素グループ（ｒｅｓｏｕｒｃｅ  ｅｌｅｍｅｎｔ  ｇｒｏｕｐ、ＲＥＧ）に対応する。ＰＤＣＣＨのフォーマット及びＰＤＣＣＨビットの個数はＣＣＥの個数によって決定される。基地局は、ユーザ機器に送信されるＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付加する。ＣＲＣは、ＰＤＣＣＨの所有者又は使用目的によって識別子（例えば、ＲＮＴＩ（ｒａｄｉｏ  ｎｅｔｗｏｒｋ  ｔｅｍｐｏｒａｒｙ  ｉｄｅｎｔｉｆｉｅｒ））でマスクする。例えば、ＰＤＣＣＨが特定のユーザ機器のためのものである場合、当該ユーザ機器の識別子（例えば、ｃｅｌｌ−ＲＮＴＩ（Ｃ−ＲＮＴＩ））をＣＲＣにマスクすることができる。ＰＤＣＣＨがページングメッセージのためのものである場合、ページング識別子（例えば、ｐａｇｉｎｇ−ＲＮＴＩ（Ｐ−ＲＮＴＩ））をＣＲＣにマスクすることができる。ＰＤＣＣＨがシステム情報（より具体的に、システム情報ブロック（ｓｙｓｔｅｍ  Ｉｎｆｏｒｍａｔｉｏｎ  ｂｌｏｃｋ、ＳＩＢ））のためのものである場合、ＳＩ−ＲＮＴＩ（ｓｙｓｔｅｍ  Ｉｎｆｏｒｍａｔｉｏｎ  ＲＮＴＩ）をＣＲＣにマスクすることができる。ＰＤＣＣＨがランダムアクセス応答のためのものである場合、ＲＡ−ＲＮＴＩ（ｒａｎｄｏｍ  ａｃｃｅｓｓ−ＲＮＴＩ）をＣＲＣにマスクすることができる。
【００９６】
図１０は、ＬＴＥで使用される上りリンクサブフレームの構造を例示する。
【００９７】
図１０を参照すると、上りリンクサブフレームは、複数（例えば、２個）のスロットを含む。スロットは、ＣＰ長に応じて異なる数のＳＣ−ＦＤＭＡシンボルを含むことができる。上りリンクサブフレームは、周波数領域でデータ領域と制御領域とに区別される。データ領域は、ＰＵＳＣＨを含み、音声などのデータ信号を送信するのに用いられる。制御領域は、ＰＵＣＣＨを含み、上りリンク制御情報（Ｕｐｌｉｎｋ  Ｃｏｎｔｒｏｌ  Ｉｎｆｏｒｍａｔｉｏｎ；ＵＣＩ）を送信するのに用いられる。ＰＵＣＣＨは、周波数軸においてデータ領域の両端部に位置したＲＢ対（ＲＢ  ｐａｉｒ）を含み、スロットを境界にホップする。
【００９８】
ＰＵＣＣＨは、次の制御情報を送信するのに使用することができる。
【００９９】
−  ＳＲ（Ｓｃｈｅｄｕｌｉｎｇ  Ｒｅｑｕｅｓｔ）：上りリンクＵＬ−ＳＣＨリソースを要求するのに用いられる情報である。ＯＯＫ（Ｏｎ−Ｏｆｆ  Ｋｅｙｉｎｇ）方式で送信される。
【０１００】
−  ＨＡＲＱ  ＡＣＫ／ＮＡＣＫ：ＰＤＳＣＨ上の下りリンクデータパケットに対する応答信号である。下りリンクデータパケットが成功裏に受信されたか否かを示す。単一の下りリンクコードワードに対する応答として１ビットのＡＣＫ／ＮＡＣＫが送信され、２つの下りリンクコードワードに対する応答として２ビットのＡＣＫ／ＮＡＣＫが送信される。
【０１０１】
−  ＣＳＩ（Ｃｈａｎｎｅｌ  Ｓｔａｔｅ  Ｉｎｆｏｒｍａｔｉｏｎ）：下りリンクチャネルに対するフィードバック情報である。ＣＳＩは、ＣＱＩ（Ｃｈａｎｎｅｌ  Ｑｕａｌｉｔｙ  Ｉｎｄｉｃａｔｏｒ）を含み、ＭＩＭＯ（Ｍｕｌｔｉｐｌｅ  Ｉｎｐｕｔ  Ｍｕｌｔｉｐｌｅ  Ｏｕｔｐｕｔ）関連フィードバック情報は、ＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）などを含む。サブフレーム当たり２０ビットが使用される。
【０１０２】
ユーザ機器がサブフレームで送信可能な制御情報（ＵＣＩ）の量は、制御情報の送信に利用可能なＳＣ−ＦＤＭＡの個数に依存する。制御情報の送信に利用可能なＳＣ−ＦＤＭＡは、サブフレームにおいて参照信号の送信のためのＳＣ−ＦＤＭＡシンボル以外のＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が設定されたサブフレームの場合、サブフレームの最後のＳＣ−ＦＤＭＡシンボルも除外される。参照信号は、ＰＵＣＣＨのコヒーレント検出に用いられる。
【０１０３】
以下では、上りリンク参照信号について説明する。上りリンク参照信号は、ＰＵＳＣＨ／ＰＵＣＣＨ送信と関連する復調参照信号（Ｄｅｍｏｄｕｌａｔｉｏｎ  Ｒｅｆｅｒｅｎｃｅ  Ｓｉｇｎａｌ、ＤＭ−ＲＳ）、及びＰＵＳＣＨ／ＰＵＣＣＨ送信と関連していないサウンディング参照信号（ＳＲＳ）をサポートする。ここで、ＤＭ−ＲＳとＳＲＳのために同一の基本シーケンス集合が使用される。
【０１０４】
【数１５】
2020080537.tif 000021
【０１０５】
【数１６】
2020080537.tif 000022
【０１０６】
【数１７】
2020080537.tif 000023
【０１０７】
スロットｎs内のシーケンスグループ番号ｕは、次の数式１３によって、グループホッピングパターンｆgh（ｎs）及びシーケンスシフト（ｓｅｑｕｅｎｃｅ  ｓｈｉｆｔ）パターンｆssによって定義される。
【０１０８】
【数１８】
2020080537.tif 000024
【０１０９】
互いに異なる複数個（例えば、１７個）のホッピングパターン及び互いに異なる複数個（例えば、３０個）のシーケンスシフトパターンがある。シーケンスグループホッピングは、上位層によって与えられるセル特定パラメータによって有効化（ｅｎａｂｌｅｄ）又は無効化（ｄｉｓａｂｌｅｄ）され得る。
【０１１０】
グループホッピングパターンｆgh（ｎs）は、ＰＵＳＣＨ及びＰＵＣＣＨに対して次の数式１４によって与えられる。
【０１１１】
【数１９】
2020080537.tif 000025
【０１１２】
ここで、擬似ランダムシーケンス（ｐｓｅｕｄｏ−ｒａｎｄｏｍ  ｓｅｑｕｅｎｃｅ）ｃ（ｉ）は、数式１５によって与えられる。
【０１１３】
【数２０】
2020080537.tif 000026
【０１１４】
擬似ランダムシーケンス生成器は、各無線フレームの開始時に次の数式１６によるｃinitに初期化される。
【０１１５】
【数２１】
2020080537.tif 000027
【０１１６】
現在の３ＧＰＰ  ＬＴＥ（−Ａ）標準によると、ＰＵＣＣＨとＰＵＳＣＨは、数式１４によって同一のホッピングパターンを有するが、互いに異なるシーケンスシフトパターンを有する。ＰＵＣＣＨに対するシーケンスシフトパターンｆPUCCHssは、セルＩＤに基づいて次の数式１７によって与えられる。
【０１１７】
【数２２】
2020080537.tif 000028
【０１１８】
ＰＵＳＣＨに対するシーケンスシフトパターンｆPUSCHssは、ＰＵＣＣＨに対するシーケンスシフトパターンｆPUCCHss及び上位層によって構成される値（△ｓｓ）を用いた次の数式１８によって与えられる。
【０１１９】
【数２３】
2020080537.tif 000029
【０１２０】
ここで、△ｓｓ∈｛０，１，...，２９｝である。
【０１２１】
【数２４】
2020080537.tif 000030
【０１２２】
【数２５】
2020080537.tif 000031
【０１２３】
ここで、擬似ランダムシーケンスｃ（ｉ）は、数式１５によって与えられる。擬似ランダムシーケンス生成器は、各無線フレームの開始時に数式２０によるｃinitに初期化される。
【０１２４】
【数２６】
2020080537.tif 000032
【０１２５】
さらに、シーケンス生成のために仮想セルＩＤ（Ｖｉｒｔｕａｌ  Ｃｅｌｌ  Ｉｄｅｎｔｉｔｙ）を決定する方法について説明すると、シーケンス生成において、送信タイプに応じて
【数２７】
2020080537.tif 000033
が定義される。
【０１２６】
【数２８】
2020080537.tif 000034
【０１２７】
【数２９】
2020080537.tif 000035
【０１２８】
ＳＲＳ送信と関連して、
【数３０】
2020080537.tif 000036
である。
【０１２９】
さらに、復調参照信号（ＤＭ−ＲＳ）と関連して、ＰＵＳＣＨの参照信号シーケンスについて説明する。
【０１３０】
【数３１】
2020080537.tif 000037
【０１３１】
【数３２】
2020080537.tif 000038
【０１３２】
【数３３】
2020080537.tif 000039
【０１３３】
参照信号シーケンス（Ｒｅｆｅｒｅｎｃｅ  ｓｉｇｎａｌ  ｓｅｑｕｅｎｃｅ）生成と関連して、シーケンス
【数３４】
2020080537.tif 000040
が定義されている。相互直交シーケンス（ｏｒｔｈｏｇｏｎａｌ  ｓｅｑｕｅｎｃｅ）ｗ（λ）（ｍ）は、上位層パラメータ‘Ａｃｔｉｖａｔｅ−ＤＭＲＳ−ｗｉｔｈ  ＯＣＣ’が設定されないか、又は対応するＰＵＳＣＨ送信と関連する送信ブロックのために最も最近の上りリンク−関連ＤＣＩを送信するために臨時Ｃ−ＲＮＴＩが使用された場合には、ＤＣＩフォーマット０に対して［ｗλ（０）  ｗλ（１）］＝［１  １］で与えられる。そうでない場合には、対応するＰＵＳＣＨ送信と関連する送信ブロックのための最も最近の上りリンク−関連ＤＣＩ上の巡回シフトフィールドは、表５によって与えられる。
【０１３４】
【表５】
2020080537.tif 000041
【０１３５】
【数３５】
2020080537.tif 000042
【０１３６】
【表６】
2020080537.tif 000043
【０１３７】
【数３６】
2020080537.tif 000044
【０１３８】
対応するＰＵＳＣＨ送信と関連した同一の送信ブロックのために最も最近の上りリンク−関連ＤＣＩが存在せず、ｉ）同一の送信ブロックのための初期ＰＵＳＣＨが半持続的（ｓｅｍｉ−ｐｅｒｓｉｓｔｅｎｔｌｙ）にスケジュールされる場合、又はｉｉ）ランダムアクセス応答グラントによって初期ＰＵＳＣＨがスケジュールされた場合には、表５の１番目の行（ｒｏｗ）は、
【数３７】
2020080537.tif 000045
及びｗ（λ）（ｍ）のために使用されなければならない。
【０１３９】
ｎＰＮ（ｎｓ）は、数式２２によって与えられる。
【０１４０】
【数３８】
2020080537.tif 000046
【０１４１】
ここで、擬似ランダムシーケンス（ｐｓｅｕｄｏ−ｒａｎｄｏｍ  ｓｅｑｕｅｎｃｅ）ｃ（ｉ）は、数式１５によって与えられる。ｃ（ｉ）は、セル特定的（ｃｅｌｌ−ｓｐｅｃｉｆｉｃ）に適用される。擬似ランダムシーケンス生成器（ｐｓｅｕｄｏ−ｒａｎｄｏｍ  ｓｅｑｕｅｎｃｅ  ｇｅｎｅｒａｔｏｒ）は、各無線フレームの開始時にｃｉｎｉｔに初期化される。ｃｉｎｉｔは、数式２３に従う。
【０１４２】
【数３９】
2020080537.tif 000047
【０１４３】
ここで、数式２３は、
【数４０】
2020080537.tif 000048
のための値が上位層によって設定されないか、又はランダムアクセス応答グラントに対応するＰＵＳＣＨ送信、又は競合（ｃｏｎｔｅｎｔｉｏｎ）ベースのランダムアクセス手順の一部として同一の送信ブロックの再送信の場合に適用され、そうでない場合には、数式２４のように与えられる。
【０１４４】
【数４１】
2020080537.tif 000049
【０１４５】
参照信号のベクトルは、数式２５によってプリコーディングされる。
【０１４６】
【数４２】
2020080537.tif 000050
【０１４７】
ここで、Ｐは、ＰＵＳＣＨ送信のために使用されるアンテナポートの個数である。
【０１４８】
単一アンテナポートを使用するＰＵＳＣＨ送信の場合、Ｐ＝１、Ｗ＝１であり、ν＝１である。空間多重化の場合、Ｐ＝２又はＰ＝４、そして、プリコーディングマトリックスＷは、同一のサブフレーム内でＰＵＳＣＨのプリコーディングのために使用されるプリコーディングマトリックスと区別されなければならない。
【０１４９】
以下では、上述した内容に基づいて無線通信システム（例えば、３ＧＰＰ  ＬＴＥシステム又は３ＧＰＰ  ＬＴＥ−Ａシステム）にＤ２Ｄ通信が導入される場合、Ｄ２Ｄ通信を行うための具体的な方法について説明する。
【０１５０】
図１１は、Ｄ２Ｄ通信を概念的に説明するための図である。図１１（ａ）は、既存の基地局中心の通信方式を示したもので、第１端末（ＵＥ１）が上りリンク上で基地局にデータを伝送し、第１端末（ＵＥ１）からのデータを基地局が下りリンク上で第２端末（ＵＥ２）に伝送することができる。
【０１５１】
図１１（ｂ）は、Ｄ２Ｄ通信の一例として、端末対端末（ＵＥ−ｔｏ−ＵＥ）通信方式を示すもので、端末間のデータ交換が基地局を介さずに行われ得る。このように、装置間に直接設定されるリンクをＤ２Ｄリンクと呼ぶことができる。Ｄ２Ｄ通信は、既存の基地局中心の通信方式に比べて遅延（ｌａｔｅｎｃｙ）が減少し、より少ない無線リソースを必要とするなどの利点を有する。
【０１５２】
Ｄ２Ｄ通信は、基地局を介さずに装置間（又は端末間）の通信をサポートする方式であるが、Ｄ２Ｄ通信は、既存の無線通信システム（例えば、３ＧＰＰ  ＬＴＥ／ＬＴＥ−Ａ）のリソースを再利用して行われるため、既存の無線通信システムに干渉又は妨害を起こしてはならない。同様に、既存の無線通信システムで動作する端末、基地局などによってＤ２Ｄ通信が受ける干渉を最小化することもまた重要である。
【０１５３】
本発明は、Ｄ２Ｄ通信（Ｄｅｖｉｃｅ  ｔｏ  Ｄｅｖｉｃｅ  ｃｏｍｍｕｎｉｃａｔｉｏｎ）を行うＤ２Ｄ送信端末が同期信号（Ｄ２Ｄ  Ｓｙｎｃｈｒｏｎｉｚａｔｉｏｎ  Ｓｉｇｎａｌ、以下、Ｄ２ＤＳＳ）と物理同期チャネル（Ｐｈｙｓｉｃａｌ  Ｄ２Ｄ  Ｓｙｎｃｈｒｏｎｉｚａｔｉｏｎ  Ｃｈａｎｎｅｌ、以下、ＰＤ２ＤＳＣＨ）を送信するタイミング及びその送信方法を提案する。
【０１５４】
Ｄ２ＤＳＳは、Ｄ２Ｄ通信の同期化のために事前に定められた信号を送信し、受信端末は、信号をブラインド検出（ｂｌｉｎｄ  ｄｅｔｅｃｔｉｏｎ）して時間同期及び周波数同期を検出する。ＰＤ２ＤＳＣＨは、Ｄ２Ｄ通信に使用される基本的な情報（例えば、チャネル帯域幅、Ｄ２Ｄ通信を行うサブフレームの情報、スケジューリング割り当て（Ｓｃｈｅｄｕｌｉｎｇ  Ａｓｓｉｇｎｍｅｎｔ、ＳＡ）のためのリソース候補（ｒｅｓｏｕｒｃｅ  ｐｏｏｌ）など）を知らせ、データペイロード（ｐａｙｌｏａｄ）をコーディング（例えば、ターボコーディング（ｔｕｒｂｏ  ｃｏｄｉｎｇ）、畳み込みコーディング（ｃｏｎｖｏｌｕｔｉｏｎａｌ  ｃｏｄｉｎｇ））して送信する。
【０１５５】
Ｄ２Ｄ端末が同期信号を検出したとき、同期は、通常、約５００ｍｓ維持されるため、Ｄ２ＤＳＳの送信周期は、最大数百ｍｓの単位となり得る。本発明では、説明の便宜上、Ｄ２ＤＳＳは１００ｍｓ周期で送信されると仮定する。
【０１５６】
図１２は、Ｄ２ＤＳＳとＰＤ２ＤＳＣＨの基本送信タイミングを示すための参考図である。図１２を参照して説明すると、前記ＰＤ２ＤＳＣＨに含まれる情報は頻繁な変化が必要でない値であるため、遅い周期（例えば、秒単位）で値が変化する。すなわち、図１２において、受信端末がｔ＝０ｍｓで受信したＰＤ２ＤＳＣＨとｔ＝１００ｍｓで受信したＰＤ２ＤＳＣＨは、ほとんどの場合、同じ情報であると見なすことができる。したがって、受信端末の立場では、ＰＤ２ＤＳＣＨの受信に成功した後、一定時間の間はＰＤ２ＤＳＣＨを再び受信する必要がない。
【０１５７】
他の理由として、不特定の端末がＤ２ＤＳＳ、ＰＤ２ＤＳＣＨを任意の時間に検出するために、送信端末は短い周期（例えば、図１２では１００ｍｓの例を示したが、１００ｍｓよりも小さい周期でＤ２ＤＳＳ、ＰＤ２ＤＳＣＨなどを送信することもできる。）でＤ２ＤＳＳ、ＰＤ２ＤＳＣＨを送信することができ、端末は（特に、遊休モード（ＩＤＬＥ  ｍｏｄｅ）の端末は）、節電（ｅｎｅｒｇｙ  ｓａｖｉｎｇ）などの目的で、送信されるＤ２ＤＳＳ、ＰＤ２ＤＳＣＨにおいて一部のみを対象として検出動作を行うことが好ましい。
【０１５８】
したがって、本発明では、ＰＤ２ＤＳＣＨがメイン周期（ｍａｉｎ−ｐｅｒｉｏｄ）とサブ周期（ｓｕｂ−ｐｅｒｉｏｄ）で構成され、メイン周期内で補助周期のＰＤ２ＤＳＣＨが繰り返される方式を提案する（このとき、メイン周期間のＰＤ２ＤＳＣＨの内容は変更されなくてもよい。）。
【０１５９】
以下では、説明の便宜上、（後述する図１３のように）ＰＤ２ＤＳＣＨは、２秒（２０００ｍｓ）間隔で新たなＰＤ２ＤＳＣＨが送信されると仮定する。すなわち、２秒（ｓｅｃｏｎｄ）周期でＰＤ２ＤＳＣＨのコンテンツが変更される。しかし、これは、本発明の説明の便宜のための仮定に過ぎず、本発明の内容は、上述した周期に制限されてはならない。例えば、ＰＤ２ＤＳＣＨがＤ２ＤＳＳよりも遅い周期を有している状況で本発明が適用されてもよい。したがって、端末は、ＰＤ２ＤＳＣＨを受信した後、これに基づいて間接的にサブフレームナンバー（ＳＦＮ）を認識することができる。
【０１６０】
１．Ｄ２Ｄ通信のためのチェース結合（Ｃｈａｓｅ  ｃｏｍｂｉｎｉｎｇ）
本発明による一実施例によれば、サブ周期（Ｓｕｂ  ｐｅｒｉｏｄ）でＰＤ２ＤＳＣＨを送信する場合として、反復（ｒｅｐｅｔｉｔｉｏｎ）的に同じ信号を再送信し、受信端末がチェース結合（ｃｈａｓｅ  ｃｏｍｂｉｎｉｎｇ）を介して信号のエネルギーを累積させるようにすることができる。
【０１６１】
例えば、送信される構造が図１２と同じ構造である場合、最初に受信したＰＤ２ＤＳＣＨからエネルギーを累積して、デコーディングに成功したときから次のメイン周期（ｍａｉｎ  ｐｅｒｉｏｄ）の開始まではＰＤ２ＤＳＣＨ受信動作を止めることで、端末の消費電力を低減することができる。
【０１６２】
チェース結合（ｃｈａｓｅ  ｃｏｍｂｉｎｉｎｇ）を行うときは全てのＰＤ２ＤＳＣＨ信号が同一であるため、メイン周期（ｍａｉｎ  ｐｅｒｉｏｄ）或いはサブ周期（ｓｕｂ  ｐｅｒｉｏｄ）のどの位置にある信号であるかを判別することができない。このとき、ＰＤ２ＤＳＣＨの周期を把握できる方法は、以下の通りである（ここで、フレームナンバー或いはサブフレームナンバーは、既存のネットワーク基準のナンバリングが使用されたり、Ｄ２Ｄのために定義された新たなフレームナンバー又はサブフレームナンバーが使用されてもよい）。
【０１６３】
●事前に特定の固定値として定義されてもよい。すなわち、フレーム／サブフレームナンバーなどに連動してメイン周期及びサブ周期が決定され得る。（例えば、（フレームナンバー）％１００＝０である場合に新たなメイン周期の開始、（フレームナンバー）％１０＝０である場合に新たなサブ周期の開始）
【０１６４】
●Ｄ２ＤＳＳのルートシーケンス（ｒｏｏｔ  ｓｅｑｕｅｎｃｅ）によって指示（ｉｎｄｉｃａｔｉｏｎ）されてもよい。これは、ネットワーク外の（ｏｕｔ  ＮＷ）端末や部分ネットワーク（ｐａｒｔｉａｌ  ＮＷ）、又はセル間（ｉｎｔｅｒ−ｃｅｌｌ）Ｄ２Ｄ通信を行う場合に効果的である。すなわち、シーケンスナンバー（ｓｅｑｕｅｎｃｅ  ｎｕｍｂｅｒ）によってメイン周期及び補助周期が決定され、フレームナンバーなどによって各周期の開始時点を知ることができる。例えば、シーケンスナンバー（ｓｅｑ．ｎｕｍｂｅｒ）％４＝Ａであるとき、各Ａによるメイン周期及び補助周期が事前に定義されるか、又は上位層シグナリングなどを介して各端末に伝達されてもよい。
【０１６５】
●ｅＮＢによって上位層信号（例えば、Ｄ２Ｄ  ＳＩＢ  ｉｎ  ＲＲＣ  ｓｉｇｎａｌ）で周期が設定（ｃｏｎｆｉｇｕｒａｔｉｏｎ）されてもよい。この方式は、ネットワークカバレッジ内の（ｉｎ  ＮＷ）端末を相手に使用することができる。
【０１６６】
上述した方法により、端末は周期を認識し、ＰＤ２ＤＳＣＨがリセットされる周期（すなわち、メイン周期、例えば、２ｓ）に合わせてＰＤ２ＤＳＣＨを再検出する。この場合の正確な動作は、以下の通りである。
【０１６７】
●ＰＤ２ＤＳＣＨの検出を開始した時点からメイン周期（ｍａｉｎ  ｐｅｒｉｏｄ）だけ後にＰＤ２ＤＳＣＨの検出を試みる。このような場合、端末は、次の周期の開始を正確に検出するものではなく、当該時点（例えば、サブフレーム）でＰＤ２ＤＳＣＨが存在するか否かのみを知っている。
【０１６８】
●ｅＮＢから受信した上位層信号（例えば、Ｄ２Ｄ  ＳＩＢ  ｉｎ  ＲＲＣ  ｓｉｇｎａｌ）を介してフレームナンバー情報を受信して現在のフレームナンバーを知り、上述したＰＤ２ＤＳＣＨの周期を把握できる方法を通じて取得した周期情報を用いて、次のメイン周期（ｍａｉｎ  ｐｅｒｉｏｄ）の開始時点を知ることができる。したがって、端末は、当該開始時点でＰＤ２ＤＳＣＨをモニタリングすることができる。
【０１６９】
２．Ｄ２Ｄ通信のためのＩＲ（Ｉｎｃｒｅｍｅｎｔａｌ  ｒｅｄｕｎｄａｎｃｙ）
本発明によってサブ周期（ｓｕｂ  ｐｅｒｉｏｄ）でＰＤ２ＤＳＣＨを送信する他の実施例として、ターボコーディング（ｔｕｒｂｏ  ｃｏｄｉｎｇ）或いは畳み込みコーディング（ｃｏｎｖｏｌｕｔｉｏｎ  ｃｏｄｉｎｇ）を行い、互いに異なるＲＶ（Ｒｅｄｕｎｄａｎｃｙ  Ｖｅｒｓｉｏｎ）値を使用して、増分リダンダンシ（ｉｎｃｒｅｍｅｎｔａｌ  ｒｅｄｕｎｄａｎｃｙ、ＩＲ）方式を通じて受信端末の受信率を高めることができる。
【０１７０】
図１３は、ＰＤ２ＤＳＣＨのメイン周期とサブ周期を説明するための参考図である。図１３を参照して説明すると、図１３は、ＲＶ値が計４個であって、｛０，２，１，３｝の順に変わる場合を示す。
【０１７１】
このとき、端末は、ＰＤ２ＤＳＣＨのＲＶ値をブラインド検出（ｂｌｉｎｄ  ｄｅｔｅｃｔｉｏｎ）によって検出して、サブ周期（ｓｕｂ  ｐｅｒｉｏｄ）内で特定のタイミングを認知することができる。特に、本発明で提案するＰＤ２ＤＳＣＨ構造は、自己復号可能な（ｓｅｌｆ−ｄｅｃｏｄａｂｌｅ）特徴を有しているため、連続したＰＤ２ＤＳＣＨのうち１つのみを受信してもデコーディングが可能であり、受信ＳＮＲ（Ｓｉｇｎａｌ−ｔｏ−Ｎｏｉｓｅ  Ｒａｔｉｏ）が不足した場合には、複数個のＰＤ２ＤＳＣＨを連結してデコードすることができる。
【０１７２】
さらに、端末は、上述した“１．Ｄ２Ｄ通信のためのチェース結合”方式において詳述したＰＤＳＣＨ周期認識方法と次の（ｎｅｘｔ）ＰＤ２ＤＳＣＨ受信方法において説明した内容によって動作を行うことができ、これは、上述した内容に代替する。
【０１７３】
上位層信号やＤ２ＤＳＳを介してフレームナンバー情報を受信する場合、ＲＶ値を通じてフレームナンバーに対する一部の情報を導き出したため、フレームナンバー情報はビット数が減少することができる。
【０１７４】
図１４は、本発明によって、ＲＶが存在するか否かによって変わるフレームナンバーを知らせる方法を説明するための参考図である。
【０１７５】
本方式（すなわち、ＩＲ方式）でも同様に、フレームインデックス（ｆｒａｍｅ  ｉｎｄｅｘ）は、ｉ）既存の無線フレームインデックス（ｒａｄｉｏ  ｆｒａｍｅ  ｉｎｄｅｘ）を意味したり、ｉｉ）Ｄ２Ｄフレームインデックス或いはＤ２Ｄサブフレームインデックスを意味することもでき、ｉｉｉ）特に、Ｄ２Ｄフレームの中でもＤ２Ｄ同期化フレーム／サブフレームインデックスを意味することもできる。また、Ｄ２Ｄフレームインデックスは、既存の無線フレームインデックスと独立してカウントされるインデックスであってもよい。
【０１７６】
一方、ＩＲ方式を使用するとき、ＲＶ値が過度に多い場合、端末のブラインドデコーディング複雑度（ｂｌｉｎｄ  ｄｅｃｏｄｉｎｇ  ｃｏｍｐｌｅｘｉｔｙ）が過度に高くなるという欠点がある。したがって、本発明では、以下のＲＶ指示方法を提案する。
【０１７７】
●Ｄ２ＤＳＳのシーケンス（ｓｅｑｕｅｎｃｅ）情報又はシンボル位置（ｓｙｍｂｏｌ  ｌｏｃａｔｉｏｎ）でＲＶ値を正確に指示したり、ＲＶ値の集合を指示することができる。
【０１７８】
●ＰＤ２ＤＳＣＨをデコードする前、チャネル推定のために使用するＤ２Ｄ  ＤＭＲＳのシーケンス値又はＤ２Ｄ  ＤＭＲＳのＣＳ値によって、ＲＶ値又はＲＶ値の集合を指示することができる。
【０１７９】
さらに、上述したチェース結合（Ｃｈａｓｅ  ｃｏｍｂｉｎｉｎｇ）とＩＲ（ｉｎｃｒｅｍｅｎｔａｌ  ｒｅｄｕｎｄａｎｃｙ）方式はいずれも、サブ周期（ｓｕｂ  ｐｅｒｉｏｄ）の一部が送信端の節電のために省略されてもよい。
【０１８０】
図１５は、本発明によってサブ周期の一部でＰＤ２ＤＳＣＨが省略される場合を説明するための参考図である。図１５において、最初のサブ周期（ｓｕｂ  ｐｅｒｉｏｄ）でのみＰＤ２ＤＳＣＨが送信され、その後のサブ周期（ｓｕｂ  ｐｅｒｉｏｄ）ではＰＤ２ＤＳＣＨが省略された。この場合にも前記チェース結合やＩＲ技法をそのまま適用することができる。また、ｎ番目の周期（ｐｅｒｉｏｄ）で受信したＰＤ２ＤＳＣＨは、現在の周期のＤ２Ｄ設定値ではなく、ｎ＋１番目の周期のＤ２Ｄ設定値を示すことができる。すなわち、受信したＰＤ２ＤＳＣＨ値は、直ちに適用されるものではなく、受信端の結合デコーディング遅延（ｃｏｍｂｉｎｉｎｇ  ｄｅｃｏｄｉｎｇ  ｄｅｌａｙ）を保証するために一定時間後に、ｎ＋１番目の周期の開始時点から変更された設定で適用され得る。
【０１８１】
さらに、前記チェース結合（ｃｈａｓｅ  ｃｏｍｂｉｎｉｎｇ）方式及びＩＲ（ｉｎｃｒｅｍｅｎｔａｌ  ｒｅｄｕｎｄａｎｃｙ）方式では、全てのメイン周期（ｍａｉｎ  ｐｅｒｉｏｄ）毎に端末が新たなＰＤ２ＤＳＣＨを受信することを仮定した。しかし、複数のメイン周期（ｍａｉｎ  ｐｅｒｉｏｄ）の間、同じコンテンツのＰＤ２ＤＳＣＨが維持され得て、このような場合には受信端末のモニタリング動作が必要でない。
【０１８２】
したがって、本発明では、ＰＤ２ＤＳＣＨアップデート通知（ＰＤ２ＤＳＣＨ  ｕｐｄａｔｅ  ｎｏｔｉｆｉｃａｔｉｏｎ）信号を別途に送信することができる。すなわち、前記アップデート通知を受信した端末は、次のメイン周期（ｍａｉｎ  ｐｅｒｉｏｄ）の開始時点でＰＤ２ＤＳＣＨモニタリングを開始する。このようなアップデート通知信号は、ネットワークカバレッジ内の（すなわち、ｉｎ  ＮＷ）受信端末の場合、ｅＮＢのページング（ｐａｇｉｎｇ）信号に別途のアップデート通知フィールドを介して知らせることができる。したがって、ｅＮＢからＤ２Ｄトラフィックを示す信号を受信したＤ２Ｄ遊休状態の端末は、活性化（ａｃｔｉｖｅ）状態に切り替えられ得る。
【０１８３】
または、Ｄ２ＤＳＳでアップデートが行われるか否かによって異なるルートシーケンス（ｒｏｏｔ  ｓｅｑｕｅｎｃｅ）、シンボル位置（ｓｙｍｂｏｌ  ｌｏｃａｔｉｏｎ）を使用して指示することができ、これは、ネットワークカバレッジ内の（ｉｎ  ＮＷ）受信端末とネットワークカバレッジ外の（ｏｕｔ  ＮＷ）受信端末の両方に使用されてもよい。
【０１８４】
さらに、本発明のページング信号は、既存のセルラーページング信号にＰＤ２ＤＳＣＨアップデート（ｕｐｄａｔｅ）通知フィールドを追加した形態であってもよいが、Ｄ２Ｄページング信号を別途に構成し、セルラーページングとは別個の周期で送信することもできる。このとき、ページング信号は、ＰＤ２ＤＳＣＨ信号のアップデートだけでなく、データ通信（ｄａｔａ  ｃｏｍｍｕｎｉｃａｔｉｏｎ）チャネルにピギーバック（ｐｉｇｇｙｂａｃｋ）の形態で送信される制御情報（ｃｏｎｔｒｏｌ  ｉｎｆｏｒｍａｔｉｏｎ、ＣＩ）がアップデートされるか否かを知らせることもできる。ＣＩ信号は、ＮＤＩ（ｎｅｗ  ｄａｔａ  ｉｎｄｉｃａｔｏｒ）、ＲＶ（ｒｅｄｕｎｄａｎｃｙ  ｖｅｒｓｉｏｎ）の情報を含んでおり、ＣＩ信号がアップデートされるか否かをページング信号で知らせることができる。ここで、ＣＩは、Ｄ２Ｄ通信に用いられる制御情報或いは制御情報のためのチャネルを意味し得る。
【０１８５】
図１６は、上述した本発明に係る制御情報ピギーバック（Ｃｏｎｔｒｏｌ  Ｉｎｆｏｒｍａｔｉｏｎ  ｐｉｇｇｙｂａｃｋｉｎｇ）を示す。図１６において、ＲＳ、ＣＩを除いた残りのリソースはデータ通信に使用されることを仮定した。
【０１８６】
図１７を参照して、ページングを用いたＰＤ２ＤＳＣＨ変更通知について再び説明する。図１７において、端末は、ｎ番目のメイン周期（ｍａｉｎ  ｐｅｒｉｏｄ）でＤ２ＤＳＳに同期化を行い、２個のＰＤ２ＤＳＣＨを受信してデコードした。その後、別途のページング通知（ｐａｇｉｎｇ  ｎｏｔｉｆｉｃａｔｉｏｎ）を受けなかったため、続けてＤ２ＤＳＳのみを受信して同期をアップデートさせる。しかし、ｎ＋１番目のメイン周期（ｍａｉｎ  ｐｅｒｉｏｄ）で変更通知（ｃｈａｎｇｅ  ｎｏｔｉｆｉｃａｔｉｏｎ）を受信した場合、ｎ＋２番目のメイン周期（ｍａｉｎ  ｐｅｒｉｏｄ）で新たなＰＤ２ＤＳＣＨが送信されることを認識し、受信を開始することができる。
【０１８７】
３．Ｄ２Ｄ通信のための繰り返しカウント（Ｒｅｐｅｔｉｔｉｏｎ  Ｃｏｕｎｔ）
本発明の一実施例によれば、ＰＤ２ＤＳＣＨで送信されるコンテンツ（ｃｏｎｔｅｎｔｓ）のうち１つとして繰り返しカウント（ｒｅｐｅｔｉｔｉｏｎ  ｃｏｕｎｔ）が追加されてもよい。例えば、上位層シグナリング（ｈｉｇｈｅｒ  ｌａｙｅｒ  ｓｉｇｎａｌｉｎｇ）などを通じて決定されるか、又は事前に定義された（例えば、前述した方法により）、メイン周期を知っている端末は、ＰＤ２ＤＳＣＨをデコードして、繰り返しカウントフィールド（ｒｅｐｅｔｉｔｉｏｎ  ｃｏｕｎｔ  ｆｉｌｅｄ）値によって、どの時点で次のＰＤ２ＤＳＣＨを検出するかを知ることができる。
【０１８８】
例えば、ＰＤ２ＤＳＣＨのコンテンツが変わる周期が２秒（ｓｅｃ）であり、毎１００ｍｓ毎にＰＤ２ＤＳＣＨが送信されると仮定するとき、任意の時点で端末がＰＤ２ＤＳＣＨデコーディングを行った結果、繰り返しカウントフィールドが１６である場合、４００ｍｓ後にＰＤ２ＤＳＣＨを検出すればよい。このとき、当該時点までＰＤ２ＤＳＣＨの主要内容（例えば、繰り返しカウントを除いた残りの情報）は変更されないと見なしてもよい。
【０１８９】
４．Ｄ２Ｄ通信のための同期信号のＣＲＣマスク設定
以下では、本発明によってＤ２Ｄ通信（Ｄｅｖｉｃｅ  ｔｏ  Ｄｅｖｉｃｅ  ｃｏｍｍｕｎｉｃａｔｉｏｎ）をする端末が端末間同期化（ｓｙｎｃｈｒｏｎｉｚａｔｉｏｎ）を行うとき、同期信号のＣＲＣマスク（ｍａｓｋ）設定方法について説明する。
【０１９０】
まず、図１８及び図１９は、本発明が適用されるＤ２Ｄと関連する同期信号の基本構造を説明するための参考図である。図１８において、ＰＤ２ＤＳＳはプライマリＤ２Ｄ同期化信号（Ｐｒｉｍａｒｙ  Ｄ２Ｄ  Ｓｙｎｃｈｒｏｎｉｚａｔｉｏｎ  Ｓｉｇｎａｌ）、ＳＤ２ＤＳＳはセカンダリＤ２Ｄ同期化信号（Ｓｅｃｏｎｄａｒｙ  Ｄ２Ｄ  Ｓｙｎｃｈｒｏｎｉｚａｔｉｏｎ  Ｓｉｇｎａｌ）、ＰＤ２ＤＳＣＨは物理的Ｄ２Ｄ同期化チャネル（Ｐｈｙｓｉｃａｌ  Ｄ２Ｄ  Ｓｙｎｃｈｒｏｎｉｚａｔｉｏｎ  Ｃｈａｎｎｅｌ）を示す。Ｄ２Ｄ通信のための同期信号は３つの信号で構成され、それぞれはＬＴＥシステムのＰＳＳ、ＳＳＳ、ＰＢＣＨの構造と同一の形態を有することができる。
【０１９１】
このような同期信号は、図１９のようなＤ２Ｄ接続状態で使用することができ、図１９を参照して、Ｄ２Ｄ同期化過程の基本的な接続状態を説明する。
【０１９２】
まず、同期化ソース（ｓｙｎｃｈｒｏｎｉｚａｔｉｏｎ  ｓｏｕｒｃｅ、ＳＲ）は、ｅＮＢ又はＵＥとなり得て、ＳＲは、独自の同期信号を送信することができ、例えば、ｅＮＢであれば、ＰＳＳ／ＳＳＳを送信することもできる。したがって、Ｄ２Ｄを行う端末（例えば、ＵＥ３）は、同期信号を受信してＤ２Ｄを行うことができ、一方、リレー端末は、ＳＲの同期信号を受信して他のＤ２Ｄ  ＵＥに再送信することができる。
【０１９３】
このような場合に、ＰＤ２ＤＳＣＨのデータフィールドにＣＲＣを付加し、ターボ、畳み込み符号でエンコード（例えば、ターボコーディング、畳み込みコーディング）して送信することができ、本発明では、このようなＣＲＣをマスク（ｍａｓｋｉｎｇ）して重要な特定の情報を送信することができる。以下では、本発明の説明の便宜のために、ＣＲＣの長さは１６ビットを例示するが、他の値を有しても構わない。
【０１９４】
本発明によれば、ＣＲＣマスク（ｍａｃｋ）は、同期化ソース（例えば、ＳＲ  ＵＥ）のタイプ（ｔｙｐｅ）情報を示してもよい。すなわち、多数個の同期信号を受信したとき、同期の正確度を間接的に示す指標を含むことによって、通信の優先順位を決定するのに基準となり得る。表７は、ＣＲＣマスクに同期化ソースのタイプ情報を指示する一例を示す。また、ＵＥがＤ２ＤＳＳ／ＰＤ２ＤＳＣＨを送信する場合であっても、当該ＵＥがｅＮＢカバレッジの内部にあるか、又は外部にあるかによって同期参照タイプ（ＳＲ  ｔｙｐｅ）が変わり得るが、これは、ＵＥがｅＮＢカバレッジの内部にある場合、究極的なＳＲはｅＮＢとなるためである。したがって、前記説明において、同期参照タイプ（ＳＲ  ｔｙｐｅ）がｅＮＢであるということは、当該Ｄ２ＤＳＳ／ＰＤ２ＤＳＣＨを送信するＵＥがｅＮＢのカバレッジの内部にあることを意味し得る。すなわち、ＣＲＣマスキングを通じて、Ｄ２ＤＳＳ／ＰＤ２ＤＳＣＨを送信するＵＥがｅＮＢカバレッジの内部にあるか、又は外部にあるかを区分することができる。
【０１９５】
【表７】
2020080537.tif 000051
【０１９６】
また、本発明によってＣＲＣマスクは、階層レベル（Ｓｔｒａｔｕｍ  ｌｅｖｅｌ）を示してもよい。すなわち、受信された同期信号が何回再送信されたものであるかを示すことができる。一般的に、同期誤差は、リレー動作が進行するほど累積し、これを避けるために、同期信号のリレー回数を制限することが好ましい。
【０１９７】
例えば、表８のように定義された場合、階層レベル（Ｓｔｒａｔｕｍ  ｌｅｖｅｌ）＝０であれば、ＳＲ  ＵＥから直接送信された同期信号を意味し、階層レベル（Ｓｔｒａｔｕｍ  ｌｅｖｅｌ）＝１であれば、リレー動作が１回行われた信号、すなわち、図１９のリレー（例えば、ｒｅａｌｙ１、ｒｅｌａｙ２）が送信した同期信号であることを意味する。
【０１９８】
【表８】
2020080537.tif 000052
【０１９９】
表８の例では、階層レベル（Ｓｔｒａｔｕｍ  ｌｅｖｅｌ）の最大値は２を有すると仮定した。ここで、階層レベル（Ｓｔｒａｔｕｍ  ｌｅｖｅｌ）＝２である同期信号は、これ以上リレーされないことを意味し得る。
【０２００】
一方、ｅＮＢのＤ２Ｄ同期信号はＬＴＥ  ＰＳＳ／ＳＳＳであるため、ＰＤ２ＤＳＣＨを有しない。すなわち、階層レベル（Ｓｔｒａｔｕｍ  ｌｅｖｅｌ）＝０は、常にネットワークカバレッジ外（ｏｕｔ  ＮＷ）にあるＳＲ  ＵＥのみが使用するようになる。したがって、同期信号の正確度を間接的に知ることができるため、複数の同期信号を検出したとき、優先順位を決定する基準となり得る。
【０２０１】
また、本発明によって、ＣＲＣマスクは、送信タイプ（Ｔｒａｎｓｍｉｓｓｉｏｎ  ｔｙｐｅ）を示してもよい。すなわち、ユニキャスト（Ｕｎｉｃａｓｔ）、グループキャスト（ｇｒｏｕｐｃａｓｔ）、又はブロードキャスト（ｂｒｏａｄｃａｓｔ）であるかをＣＲＣマスクを介して知らせることができる。したがって、ブロードキャスト情報を受信しようとする端末は、ブロードキャストに該当するマスク（ｍａｓｋ）を使用してＰＤ２ＤＳＣＨをデコードした後、成功すると、その次の動作（例えば、探索信号（ｄｉｓｃｏｖｅｒｙ）受信）を行い、失敗すると、他のブロードキャスト信号を検索することができる。
【０２０２】
また、本発明によって、ＣＲＣマスクは、ＰＤ２ＤＳＣＨフォーマット指示子（ＰＤ２ＤＳＣＨ  ｆｏｒｍａｔ  ｉｎｄｉｃａｔｏｒ）を示してもよい。ｉ）端末がネットワークカバレッジ内に存在するか否か（すなわち、ｉｎ−ＮＷ／ｏｕｔ−ＮＷ）、ｉｉ）又はＤ２Ｄ通信のユニキャスト、グループキャスト、ブロードキャストの種類、ｉｉｉ）又はその他の理由によって、端末が必要とする情報が異なったり、一部の情報は（Ｄ２Ｄ通信を行う端末ではなく）ｅＮＢから受信することが好ましい。例えば、ネットワークカバレッジ内に存在する（すなわち、ｉｎ−ＮＷ）状況では、全体リソース候補（ｒｅｓｏｕｒｃｅ  ｐｏｏｌ）をｅＮＢが直接指定することが、全体リソーススケジューリングの観点で好ましい。
【０２０３】
したがって、ネットワーク内（ｉｎ−ＮＷ）のリソース候補フィールド（ｒｅｓｏｕｒｃｅ  ｐｏｏｌ  ｆｉｅｌｄ）をｅＮＢから上位層信号（例えば、ＲＲＣ）を介して受信し、ＰＤ２ＤＳＣＨのリソース候補フィールドは削除することによって、これに代えて、他のフィールド値を繰り返したり、予約（ｒｅｓｅｒｖｅｄ）フィールドをさらに確保することができる。すなわち、様々な状況でＰＤ２ＤＳＣＨに含まれる情報の種類が変わり得て、これを知らせる用途にＣＲＣマスクが使用されてもよい。
【０２０４】
図２０は、本発明によってＣＲＣマスク（ｍａｓｋ）をＰＤ２ＤＳＣＨフォーマット指示子として使用する場合を説明するための参考図である。
【０２０５】
図２０に示したように、互いに異なるフォーマットのＰＤ２ＤＳＣＨが送信されると仮定する場合、フォーマット１／２はフィールドＤが省略され、フォーマット１Ａ／２ＡはフィールドＢが省略され得る。
【０２０６】
したがって、Ｄ２Ｄ受信端末は、ＰＤ２ＤＳＣＨを受信し、フォーマット１／１Ａ及びフォーマット２／２Ａの２つの長さにブラインドデコーディングを行った後、それぞれ２種類のＣＲＣデマスキング（ｄｅｍａｓｋｉｎｇ）（０ｘ００００，０ｘＦＦＦＦ）でＣＲＣチェックして、成功したフォーマットとしてＰＤ２ＤＳＣＨを認識することができる。以上では、説明の明確化のために、２つの長さをブラインド検出することを例示したが、これは付加的な要素に過ぎず、１つの長さを有する場合（すなわち、ＣＲＣマスクのみをチェックする場合）にも本発明が適用され得る。
【０２０７】
また、本発明に係るＣＲＣマスクは、同期参照識別子（Ｓｙｎｃｈｒｏｎｉｚａｔｉｏｎ  ｒｅｆｅｒｅｎｃｅ  ＩＤ）を示してもよい。すなわち、各同期参照（ｓｙｎｃｈｒｏｎｉｚａｔｉｏｎ  ｒｅｆｅｒｅｎｃｅ）は、他の参照（ｒｅｆｅｒｅｎｃｅ）との区分のためにＩＤを有することができる。以下では、これを同期参照識別子（ｓｙｎｃｈｒｏｎｉｚａｔｉｏｎ  ｒｅｆｅｒｅｎｃｅ  ＩＤ）と呼ぶ。
【０２０８】
例えば、図１９のリレー１（Ｒｅｌａｙ１）、リレー２（Ｒｅｌａｙ２）のように他のＵＥのＤ２ＤＳＳを中継するＵＥは、元々Ｄ２ＤＳＳを送信したＵＥと同じ同期参照（ｓｙｎｃｈｒｏｎｉｚａｔｉｏｎ  ｒｅｆｅｒｅｎｃｅ）を使用すると見ることができ、これによって、同じ同期参照識別子（ｓｙｎｃｈｒｏｎｉｚａｔｉｏｎ  ｒｅｆｅｒｅｎｃｅ  ＩＤ）を有することができる。
【０２０９】
通常、Ｄ２ＤＳＳのシーケンスは同期参照識別子（例えば、既存のＬＴＥセルＩＤと同じ構造を有する一種の仮想セルＩＤであってもよい）から生成され、ＰＤ２ＤＳＣＨのＣＲＣが同期参照識別子（ｓｙｎｃｈｒｏｎｉｚａｔｉｏｎ  ｒｅｆｅｒｅｎｃｅ  ＩＤ）から生成される場合、ＵＥは、Ｄ２ＤＳＳの検出から導き出した同期参照識別子が実際に送信されたか否かを確認することができる。また、上述したＳＲタイプ（ｔｙｐｅ）に応じてＳＲ  ＩＤが異なる場合、ＳＲ  ＩＤをＣＲＣマスキング（ｍａｋｉｎｇ）に活用することによって、ＳＲタイプをＣＲＣマスキングに反映してもよい。例えば、偶数のＳＲ  ＩＤは、ｅＮＢがＳＲである場合に該当し、奇数のＳＲ  ＩＤは、ＵＥがＳＲである場合に該当すると解釈することができる。これは、偶数のＳＲ  ＩＤは、ｅＮＢの内部に位置したＵＥがＤ２ＤＳＳを送信するときに使用するＩＤであり、奇数のＳＲ  ＩＤは、ｅＮＢの外部に位置したＵＥがＤ２ＤＳＳを送信するときに使用するＩＤであると解釈してもよい。これと同様に、一定領域のＳＲ  ＩＤは、ｅＮＢの指示に従ってＤ２ＤＳＳを送信するＵＥが使用する一方、他の領域のＳＲ  ＩＤは、ｅＮＢの指示なしにカバレッジの外部のＵＥが選択して使用する場合、ＳＲ  ＩＤでＣＲＣマスクを導出すれば、ＰＤ２ＤＳＣＨを受信したＵＥは、ＣＲＣマスクを介して、当該Ｄ２ＤＳＳがどのような状況のＵＥから送信されたものであるかを把握できるようになる。
【０２１０】
また、本発明に係るＣＲＣマスクは、ＣＰ長（Ｃｙｃｌｉｃ  Ｐｒｅｆｉｘ  Ｌｅｎｇｔｈ）を示すために使用されてもよい。すなわち、同じ同期参照（ｓｙｎｃｈｒｏｎｉｚａｔｉｏｎ  ｒｅｆｅｒｅｎｃｅ）を使用してＤ２Ｄを送受信するＵＥはＣＰ長を合わせなければならないが、ＰＤ２ＤＳＣＨを介した別途のシグナリングの代わりに、ＣＲＣマスキングを介して、使用されるＣＰ長を示してもよい。
【０２１１】
また、本発明に係るＣＲＣマスクは、同期リソースインデックス（Ｓｙｎｃｈｒｏｎｉｚａｔｉｏｎ  ｒｅｓｏｕｒｃｅ  ｉｎｄｅｘ）を示すために使用されてもよい。すなわち、ＵＥがＤ２ＤＳＳを送信する同期リソース（ｓｙｎｃｈｒｏｎｉｚａｔｉｏｎ  ｒｅｓｏｕｒｃｅ）は、複数個で構成され得る。例えば、一つのＵＥがＤ２ＤＳＳを送信する周期が４０ｍｓとして与えられる場合、一つの４０ｍｓの周期内には多数の同期リソースが存在し、一つの周期内で一つのＵＥは、一つの同期リソース上でＤ２ＤＳＳを送信しながら、他の同期リソース上では、他のＵＥが送信するＤ２ＤＳＳを受信することができる。
【０２１２】
したがって、ＵＥが特定のＤ２ＤＳＳ及びＰＤ２ＤＳＣＨを受信したとき、当該信号を受信した同期リソースがＤ２ＤＳＳ周期内で何番目に該当するものであるかを把握するために、ＰＤ２ＤＳＣＨのＣＲＣマスキング（ＣＲＣ  ｍａｓｋｉｎｇ）を介して同期リソースのインデックスを知らせることができる。
【０２１３】
図２１は、本発明によってＣＲＣマスキングを介して同期リソースのインデックスを示す場合を説明するための参考図である。図２１は、一つのＤ２ＤＳＳ周期内で２つの同期リソースが隣接しており、残りの時間リソースをその他のＤ２Ｄ信号及びセルラー信号送受信の用途に活用する場合を示す。このとき、特定のＵＥが特定の同期リソースでＤ２ＤＳＳ／ＰＤ２ＤＳＣＨを受信した場合、他の同期リソースの位置を把握し、これによるＤ２Ｄ送受信を行うためには、当該信号のインデックスを知らなければならない。例えば、特定のＵＥは特定の同期リソースでＤ２ＤＳＳ／ＰＤ２ＤＳＣＨを受信し、その信号のインデックスを把握した後、把握された特定の同期リソースと異なる同期リソース上でＤ２ＤＳＳを送信することによって、自身が受信するＤ２ＤＳＳとの衝突を避けることができる。
【０２１４】
すなわち、図２１において、ＵＥが特定のリソース上でＤ２ＤＳＳ／ＰＤ２ＤＳＣＨ受信した場合に、ＣＲＣマスキング（ＣＲＣ  ｍａｓｋｉｎｇ）を介して当該同期リソースのインデックスが０であることを知った場合、その直後にインデックス１である他の同期リソースがあることを把握することができる。または、同期リソースインデックスが１である場合、その直前にインデックス０である他の同期リソースが存在することを把握することもできる。
【０２１５】
すなわち、このように同期リソースインデックスを、ＣＲＣマスキングを用いて示す動作は、上述した階層レベル（ｓｔｒａｔｕｍ  ｌｅｖｅｌ）を示す動作と類似性があり、図１９で説明した一般的な同期中継（ｓｙｎｃｈｒｏｎｉｚａｔｉｏｎ  ｒｅｌａｙｉｎｇ）の場合において、特定の階層レベルのＵＥは以前のレベルのＤ２ＤＳＳを受信しなければならないため、互いに異なる階層レベルの同期リソースは時間上で区分されなければならないためである。したがって、階層レベルが使用される同期中継において同期リソースインデックスと階層レベルとの間には事前に定められた関連（ｌｉｎｋａｇｅ）があると見ることができ、この場合、同期リソースインデックスをＣＲＣマスキングを用いて知らせる動作は、階層レベルを知らせる動作と同一であると見なすことができる。しかし、Ｄ２Ｄ同期化動作の具体的な形態によっては階層レベルがシグナリングされないこともあり、特に、高速で移動するＵＥの場合には階層レベルが持続的に変化するため、その使用がむしろ頻繁な同期変化を誘発してしまい、全体性能を低下させることがある。このように階層レベルが使用されない場合であっても、個別ＵＥは、Ｄ２ＤＳＳを送信しながら、他のＵＥのＤ２ＤＳＳを受信するように動作しなければならないため、依然として同期リソース（ｓｙｎｃｈｒｏｎｉｚａｔｉｏｎ  ｒｅｓｏｕｒｃｅ）の時間上の分離は必要であり、この場合にも、同期リソースインデックス（ｓｙｎｃｈｒｏｎｉｚａｔｉｏｎ  ｒｅｓｏｕｒｃｅ  ｉｎｄｅｘ）を知らせることが、上述した動作を可能にするという点で必要である。
【０２１６】
さらに、ＰＤ２ＤＳＣＨに対するＣＲＣマスキングを行う際に、上述した同期化ソース（例えば、ＳＲ  ＵＥ）のタイプ、階層レベル、送信タイプ、ＰＤ２ＤＳＣＨフォーマット指示子、同期参照識別子、ＣＰ長、又は同期リソースインデックスのうちの少なくとも２つ以上を結合して、ＣＲＣマスキングに使用される最終ビット文字列（ｂｉｔ  ｓｔｒｉｎｇ）を生成することも可能である。
【０２１７】
一方、上述した情報は、ＣＲＣマスキングだけでなく、ｉ）ＰＤ２ＤＳＣＨのデータビットをスクランブル（ｓｃｒａｍｂｌｉｎｇ）するシーケンスを生成するのに使用されるか、又はｉｉ）ＰＤ２ＤＳＣＨを復調（ｄｅｍｏｄｕｌａｔｅ）する参照信号（ｒｅｆｅｒｅｎｃｅ  ｓｉｇｎａｌ）のシーケンスを生成するのに使用されることによって、より様々な方法で当該情報をＵＥに送信することを可能にする。すなわち、上述した情報をＰＤ２ＤＳＣＨの送信に活用される各種シーケンスの生成に使用することによって受信ＵＥに伝達するものである。
【０２１８】
さらに、上述した通り、受信端は、デコーディング（ｃｏｎｖｏｌｕｔｉｏｎａｌ  ｄｅｃｏｄｅ又はｔｕｒｂｏ  ｄｅｃｏｄｅ）を行って元のビット値を復元した後、ＣＲＣブラインドデコーディング（ＣＲＣ  ｂｌｉｎｄ  ｄｅｃｏｄｉｎｇ）を介してマスク値とＣＲＣを点検し、誤りがない場合に当該情報値を使用することができる。
【０２１９】
５．Ｄ２Ｄ通信のためのＤＭ−ＲＳ送信方法
以下では、Ｄ２Ｄ通信のための同期チャネルと関連するＤＭ−ＲＳに対して上述した情報を含む方法をより具体的に説明する。
【０２２０】
上述したように、ＰＵＳＣＨのＤＭ−ＲＳを決定する要素は様々であるが、最も基本的に活用するものは、セルＩＤ（ｃｅｌｌ  ＩＤ）（又は、ネットワークがセルＩＤと別途に設定した仮想セルＩＤ（ｖｉｒｔｕａｌ  ｃｅｌｌ  ＩＤ））に該当する
【数４３】
2020080537.tif 000053
である。
【０２２１】
したがって、本発明に係るＤ２Ｄ通信では、
【数４４】
2020080537.tif 000054
フィールドを伝達しようとする情報で代替してＤＭ−ＲＳを生成することができる。例えば、同期参照識別子（Ｓｙｎｃｈｒｏｎｉｚａｔｉｏｎ  ｒｅｆｅｒｅｎｃｅ  ＩＤ）をセルＩＤの位置に入れてＤＭ−ＲＳを生成することができる。
【０２２２】
一方、同期参照識別子の領域は広いが、それに比べてＰＵＳＣＨ  ＤＭ−ＲＳの基本シーケンス（ｂａｓｅ  ｓｅｑｕｅｎｃｅ）は最大３０個しか生成されないため、たとえ、同期参照識別子をセルＩＤの位置に入れてＤＭ−ＲＳを生成しても、互いに異なる同期参照識別子のＤ２ＤＳＳ／ＰＤ２ＤＳＣＨが同じリソースで同じＤＭ−ＲＳで送信される場合が頻繁に発生し得る。特に、受信ＵＥがフレームナンバー（ｆｒａｍｅ  ｎｕｍｂｅｒ）やサブフレームナンバー（ｓｕｂｆｒａｍｅ  ｎｕｍｂｅｒ）を把握できていない状態で受信するＰＤ２ＤＳＣＨでは、上述したフレームナンバー又はサブフレームナンバーを活用したシーケンスホッピング（ｓｅｑｕｅｎｃｅ  ｈｏｐｐｉｎｇ）が不可能であるため、上述した制約がさらに厳しくなる。この場合、同期参照識別子を用いてその他のＤＭ−ＲＳ生成パラメータ、例えば、ＤＭ−ＲＳ巡回シフト及び／又はＯＣＣ（Ｏｒｔｈｏｇｏｎａｌ  Ｃｏｖｅｒ  Ｃｏｄｅ）を生成することによって、その問題を緩和することができる。
【０２２３】
例えば、同期参照識別子（ｓｙｎｃｈｒｏｎｉｚａｔｉｏｎ  ｒｅｆｅｒｅｎｃｅ  ＩＤ）の下位の一部のビットを用いてＯＣＣを決定し、これを除いた残りのビットにおける下位の一部のビットを用いてＤＭ−ＲＳ巡回シフトを決定し、それ以外のビットを用いて基本シーケンス生成パラメータ
【数４５】
2020080537.tif 000055
の位置を代替したり、直接的にシーケンスグループナンバーを決定することができる。例を上げて説明すると、ＯＣＣは、同期参照識別子の下位１ビットで数式２６のように決定することができる。
【０２２４】
【数４６】
2020080537.tif 000056
【０２２５】
巡回シフト（ＣＳ）は、同期参照識別子の下位３ビットでＰＵＳＣＨ  ＤＭＲＳ  ＣＳの数式を修正して、数式２７のように決定することができる。
【０２２６】
【数４７】
2020080537.tif 000057
【０２２７】
基本シーケンス（Ｂａｓｅ  ｓｅｑｕｅｎｃｅ）は、同期参照識別子を直接用いて、ＰＵＳＣＨ  ＤＭＲＳ基本シーケンスの数式を修正し、数式２８のように決定することができる。
【０２２８】
【数４８】
2020080537.tif 000058
【０２２９】
【数４９】
2020080537.tif 000059
【０２３０】
同期リソースインデックス（Ｓｙｎｃｈｒｏｎｉｚａｔｉｏｎ  ｒｅｓｏｕｒｃｅ  ｉｎｄｅｘ）は、時間に対する情報に該当するため、ＤＭ−ＲＳの生成において、時間リソースインデックスに対応するサブフレームインデックス（又はスロットインデックス）を代替することができる。例えば、１つのＤ２ＤＳＳ周期に２つの同期リソース（ｓｙｎｃｈｒｏｎｉｚａｔｉｏｎ  ｒｅｓｏｕｒｃｅ）が存在する場合、１番目の同期リソースではスロットインデックスを０と１に、２番目の同期リソースではスロットナンバーを２と３に設定することができる。
【０２３１】
以下では、ＰＤ２ＤＳＣＨのスクランブリングについて説明する。現在、ＬＴＥ上のＰＵＳＣＨと関連するスクランブリングの初期（ｉｎｉｔｉａｌ）値は、数式２９のように設定される。
【０２３２】
【数５０】
2020080537.tif 000060
【０２３３】
【数５１】
2020080537.tif 000061
【０２３４】
●２９−１：数式２９において、ｎＲＮＴＩ値を‘０’に固定することができる。
【０２３５】
●２９−２：数式２９において、
【数５２】
2020080537.tif 000062
値を‘５１０’又は‘５１１’に固定することができる。
【０２３６】
●２９−３：数式２９において、
【数５３】
2020080537.tif 000063
値を同期参照識別子に設定（ｓｅｔｔｉｎｇ）することができる。
【０２３７】
●２９−４：数式２９において、ｎＲＮＴＩ値を同期参照識別子に設定することができる。
【０２３８】
●２９−５：数式２９において、ｎＲＮＴＩ値を‘５１０’又は‘５１１’に固定することができる。
【０２３９】
●２９−６：数式２９において、ｎｓ値を‘０’に設定することができる。
【０２４０】
●２９−７：数式２９において、ｎｓ値を、Ｄ２ＤＳＳが送信されるサブフレームナンバー又はスロットナンバーによって決定することができる。
【０２４１】
【数５４】
2020080537.tif 000064
【０２４２】
【数５５】
2020080537.tif 000065
【０２４３】
一方、Ｄ２ＤＳＳｕｅ_ｎｅｔの場合に、カバレッジ内のＵＥ（ｉｎ  ｃｏｖｅｒａｇｅ  ＵＥ）がｅＮＢのタイミングを基準（ｒｅｆｅｒｅｎｃｅ）として送信するＤ２ＤＳＳｕｅ_ｎｅｔであり得て、カバレッジ内のＵＥが送信するＤ２ＤＳＳｕｅ_ｎｅｔをタイミング基準（ｔｉｍｉｎｇ  ｒｅｆｅｒｅｎｃｅ）としてカバレッジ外のＵＥ（ｏｕｔ  ｃｏｖｅｒａｇｅ  ＵＥ）が送信するＤ２ＤＳＳｕｅ_ｎｅｔであり得る。このとき、Ｄ２ＤＳＳｕｅ_ｎｅｔを送信するＵＥがカバレッジ内（ｉｎ−ｃｏｖｅｒａｇｅ）にあるか、又はカバレッジ外（ｏｕｔ−ｃｏｖｅｒａｇｅ）にあるかを示すための（例えば、１ビット）指示子がＰＤ２ＤＳＣＨに含まれて送信されてもよい。
【０２４４】
この場合、同一の同期ＩＤ（ｓｙｎｃｈｒｏｎｉｚａｔｉｏｎ  ＩＤ）を有するＤ２ＤＳＳｕｅ_ｎｅｔであるとしても、送信するＵＥの（ｉｎ−ｃｏｖｒｅａｇｅ／ｏｕｔ−ｃｏｖｅｒａｇｅ）状態によってスクランブリング（ｓｃｒａｍｂｌｉｎｇ）及びＤＭＲＳを異なるよう設定することが必要である。なぜなら、１ビット指示子によってＰＤ２ＤＳＣＨのコンテンツ（ｃｏｎｔｅｎｔｓ）が変わるためである。したがって、本発明において、ＰＤ２ＤＳＣＨ及び／又はＰＤ２ＤＳＣＨデコーディングのためのＤＭＲＳは、１ビット指示子によって異なるよう設定することを提案する。
【０２４５】
【数５６】
2020080537.tif 000066
【０２４６】
また、スクランブリングシーケンスの場合、上述した１ビット指示子を適用する方法２９−８〜２９−１１を追加的に考慮することができる。
【０２４７】
●２９−８：数式２９において、ｑ値を１ビット指示子に応じて異なるよう設定する。
【０２４８】
●２９−９：数式２９において、ｎＲＮＴＩ値を１ビット指示子に応じて異なるよう設定することができる。例えば、カバレッジ内のＵＥ（ｉｎ  ｃｏｖｅｒａｇｅ  ＵＥ）は５１０を使用し、カバレッジ外のＵＥ（ｏｕｔ  ｃｏｖｅｒａｇｅ  ＵＥ）は５１１を使用する。
【０２４９】
●２９−１０：
【数５７】
2020080537.tif 000067
値を１ビット指示子に応じて異なるよう設定することができる。例えば、カバレッジ内のＵＥは５１０を使用し、カバレッジ外のＵＥは５１１を使用する。
【０２５０】
●２９−１１：ｎｓ値を１ビット指示子に応じて異なるよう設定することができる。例えば、カバレッジ内のＵＥは０を使用し、カバレッジ外のＵＥは０以外の他の特定の値を使用する。
【０２５１】
図２２は、本発明の実施例に適用可能な基地局及びユーザ機器を例示する。無線通信システムにリレーが含まれる場合、バックホールリンクでの通信は基地局とリレーとの間に行われ、アクセスリンクでの通信はリレーとユーザ機器との間に行われる。したがって、同図に例示された基地局又はユーザ機器は状況によってリレーに代替されてもよい。
【０２５２】
図２２を参照すると、無線通信システムは、基地局（ＢＳ）１１０及びユーザ機器（ＵＥ）１２０を含む。基地局１１０は、プロセッサ１１２、メモリ１１４及び無線周波数（Ｒａｄｉｏ  Ｆｒｅｑｕｅｎｃｙ；ＲＦ）ユニット１１６を含む。プロセッサ１１２は、本発明で提案した手順及び／又は方法を実現するように構成されてもよい。メモリ１１４は、プロセッサ１１２と接続され、プロセッサ１１２の動作と関連する様々な情報を格納する。ＲＦユニット１１６は、プロセッサ１１２と接続され、無線信号を送信及び／又は受信する。ユーザ機器１２０は、プロセッサ１２２、メモリ１２４及びＲＦユニット１２６を含む。プロセッサ１２２は、本発明で提案した手順及び／又は方法を実現するように構成されてもよい。メモリ１２４は、プロセッサ１２２と接続され、プロセッサ１２２の動作と関連する様々な情報を格納する。ＲＦユニット１２６は、プロセッサ１２２と接続され、無線信号を送信及び／又は受信する。基地局１１０及び／又はユーザ機器１２０は、単一アンテナ又は多重アンテナを有することができる。
【０２５３】
以上に説明した実施例は、本発明の構成要素と特徴を所定の形態で結合したものである。各構成要素又は特徴は、別の明示的な言及がない限り、選択的なものとして考慮しなければならない。各構成要素又は特徴は、他の構成要素や特徴と結合していない形態で実施することができる。また、一部の構成要素及び／又は特徴を結合して本発明の実施例を構成することもできる。本発明の実施例で説明される動作の順序は変更されてもよい。ある実施例の一部の構成や特徴は、他の実施例に含まれてもよく、他の実施例の対応する構成又は特徴に取って代わってもよい。特許請求の範囲で明示的な引用関係にない請求項を結合して実施例を構成したり、出願後の補正によって新しい請求項として含めたりできることは明らかである。
【０２５４】
本発明に係る実施例は、様々な手段、例えば、ハードウェア、ファームウエア（ｆｉｒｍｗａｒｅ）、ソフトウェア又はそれらの結合などによって実装することができる。ハードウェアによる実装の場合、本発明の一実施例は、１つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって実装することができる。
【０２５５】
ファームウェアやソフトウェアによる実装の場合、本発明の一実施例は、以上で説明した機能又は動作を実行するモジュール、手順、関数などの形態として実装することができる。ソフトウェアコードはメモリユニットに格納され、プロセッサによって駆動されてもよい。前記メモリユニットは、前記プロセッサの内部又は外部に位置し、公知の様々な手段によってプロセッサとデータを交換することができる。
【０２５６】
本発明は、本発明の特徴を逸脱しない範囲で他の特定の形態として具体化されてもよいことは当業者には自明である。このため、上記の詳細な説明は、いずれの面においても制限的に解釈されてはならず、例示的なものとして考慮されなければならない。本発明の範囲は、添付した請求項の合理的な解釈によって決定されなければならず、本発明の等価的な範囲内における変更はいずれも本発明の範囲に含まれる。
【産業上の利用可能性】
【０２５７】
上述したような無線通信システムにおけるＤ２Ｄ（Ｄｅｖｉｃｅ−ｔｏ−Ｄｅｖｉｃｅ）通信のための同期化信号送受信方法及びそのための装置は、３ＧＰＰ  ＬＴＥシステムに適用される例を中心に説明したが、３ＧＰＰ  ＬＴＥシステム以外にも、様々な無線通信システムに適用可能である。
【図１】
2020080537.tif 000068
【図２】
2020080537.tif 000069
【図３】
2020080537.tif 000070
【図４】
2020080537.tif 000071
【図５】
2020080537.tif 000072
【図６】
2020080537.tif 000073
【図７】
2020080537.tif 000074
【図８】
2020080537.tif 000075
【図９】
2020080537.tif 000076
【図１０】
2020080537.tif 000077
【図１１】
2020080537.tif 000078
【図１２】
2020080537.tif 000079
【図１３】
2020080537.tif 000080
【図１４】
2020080537.tif 000081
【図１５】
2020080537.tif 000082
【図１６】
2020080537.tif 000083
【図１７】
2020080537.tif 000084
【図１８】
2020080537.tif 000085
【図１９】
2020080537.tif 000086
【図２０】
2020080537.tif 000087
【図２１】
2020080537.tif 000088
【図２２】
2020080537.tif 000089
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
無線通信システムにおいてＵＥ（user equipment）がＤ２Ｄ（Device-to-Device）通信のための信号を送信する方法であって、
前記ＵＥが、前記Ｄ２Ｄ通信のための同期情報を伝える物理チャネルのための複数のビットを取得するステップであって、前記複数のビットは、前記Ｄ２Ｄ通信のための同期識別子に基づいて取得される、ステップと、
前記ＵＥが他のＵＥに、前記複数のビットに基づく前記物理チャネル、及び、前記物理チャネルに関連するＤＭ−ＲＳ（demodulation reference signal）を送信するステップと、を含み、
ＯＣＣ（Orthogonal Cover Code）は、前記ＵＥによって前記ＤＭ−ＲＳに適用され、前記ＯＣＣは、前記Ｄ２Ｄ通信のための前記同期識別子に基づいて決定され、
前記ＤＭ−ＲＳのための巡回シフトは、第１の値を８で除算した剰余に基づいて決定され、前期第１の値は、２で割られた前記同期識別子の床関数である、方法。
【請求項２】
前記ＤＭ−ＲＳのための前記ＯＣＣは、前記Ｄ２Ｄ通信のための前記同期識別子の一つの下位ビットに基づいて決定される、請求項１に記載の方法。
【請求項３】
前記ＯＣＣは、前記Ｄ２Ｄ通信のための前記同期識別子の前記一つの下位ビットのモジュロ２演算によって決定される、請求項２に記載の方法。
【請求項４】
前記物理チャネルのための前記複数のビットは、前記同期識別子に基づいてスクランブルされる、請求項１に記載の方法。
【請求項５】
前記物理チャネルは、前記Ｄ２Ｄ通信のための物理放送チャネルである、請求項１に記載の方法。
【請求項６】
前記ＵＥが、前記物理チャネルの送信の前に、前記直交符号及び前記巡回シフトに基づいた前記物理チャネルに関連したＤＭ−ＲＳを取得するステップをさらに含む、請求項１に記載の方法。
【請求項７】
無線通信システムにおいてＤ２Ｄ（Device-to-Device）通信のための信号を送信するＵＥ（user equipment）であって、
ＲＦ（radio frequency）ユニットと、
プロセッサと、を含み、
前記プロセッサは、
前記Ｄ２Ｄ通信のための同期情報を伝える物理チャネルのための複数のビットを取得し、前記複数のビットは、前記Ｄ２Ｄ通信のための同期識別子に基づいて取得され、
前記複数のビットに基づく前記物理チャネル、及び、前記物理チャネルに関連するＤＭ−ＲＳ（demodulation reference signal）を他のＵＥに送信するように構成され、
ＯＣＣ（Orthogonal Cover Code）は、前記ＵＥによって前記ＤＭ−ＲＳに適用され、前記ＯＣＣは、前記Ｄ２Ｄ通信のための前記同期識別子に基づいて決定され、
前記ＤＭ−ＲＳのための巡回シフトは、第１の値を８で除算した剰余に基づいて決定され、前期第１の値は、２で割られた前記同期識別子の床関数である、ＵＥ。
【請求項８】
前記ＤＭ−ＲＳのための前記ＯＣＣは、前記Ｄ２Ｄ通信のための前記同期識別子の一つの下位ビットに基づいて決定される、請求項７に記載のＵＥ。
【請求項９】
前記ＯＣＣは、前記Ｄ２Ｄ通信のための前記同期識別子の前記一つの下位ビットのモジュロ２演算によって決定される、請求項７に記載のＵＥ。
【請求項１０】
前記物理チャネルのための前記複数のビットは、前記同期識別子に基づいてスクランブルされる、請求項７に記載のＵＥ。
【請求項１１】
前記物理チャネルは、前記Ｄ２Ｄ通信のための物理放送チャネルである、請求項７に記載のＵＥ。
【請求項１２】
前記プロセッサは、前記ＵＥが、前記プロセッサが前記物理チャネルを送信する前に、前記直交符号及び前記巡回シフトに基づいた前記物理チャネルに関連したＤＭ−ＲＳを取得するようにさらに構成される、請求項７に記載のＵＥ。